(57)【要約】      （修正有）【課題】古代日本から始まる屏風及びそれから発展した襖や障子という日本の伝統的な障屏具が持つ、フレキシビリティという特性をより一層更に発展させて、建具と家具の万能化を図り、学業・生業・家族構成の変化などによるライフステージの変化などで、住み替えや間仕切り替えが必要になった場合、様々な居室に対して適応多能性を持ち、「住生活の快適性（アメニティ）の向上」及び「環境負荷の軽減」という２つの効果をもたらして、今日の生活に対応し易くした携行間仕切りを提供する。【解決手段】携行間仕切りは、「建具と家具の万能化」を根本原理とし、根幹技術として「着脱式紙丁番装置」及び「免震突っ張り機構」を採用することにより、「屏風式建具」と「免震突っ張り支柱」及び「免震突っ張り家具」とで構成される「基本的３アイテム」により成り立つ。基本的３アイテムを様々に組み合わせる又は組み替えることで建具と家具の万能化を図る。【選択図】図２３
2015200167.tif 000002
【特許請求の範囲】
【請求項１】
並列する複数枚のパネルと、
隣接するパネル間を連結する着脱式紙丁番装置とを備え、
前記着脱式紙丁番装置は一対の溝形部材と、屏風に用いられる伝統的な紙丁番の羽根と同一の構成で、強度が和紙より強く柔軟性がある素材から形成された、現代の紙丁番とを備え、
前記各溝形部材の溝部は、前記各パネルの縦端部を嵌め合わせて着脱可能に連結する、ウェブと、ウェブの両側に設けられた１対のフランジとを有し、
前記現代の紙丁番は前記一対の溝形部材に交互に接着され、隣り合うパネル間で一方のパネルに対して、他方のパネルを３６０度回転できるように前記一対の溝形部材を連結し、
前記着脱式紙丁番装置により複数枚のパネルを一連に連結した、屏風式建具が構成されており、
前記屏風式建具を構成する複数枚のパネルのうち、一端又は両端に位置するパネルと、
免震突っ張り機構装着支柱とが、
前記着脱式紙丁番装置により連結されていることを特徴とする、屏風式携行間仕切り。
【請求項２】
並列する複数枚のパネルと、
隣接するパネル間を連結する着脱式紙丁番装置とを備え、
前記着脱式紙丁番装置は一対の溝形部材と、屏風に用いられる伝統的な紙丁番の羽根と同一の構成で、強度が和紙より強く柔軟性がある素材から形成された、現代の紙丁番とを備え、
前記各溝形部材の溝部は、前記各パネルの縦端部を嵌め合わせて着脱可能に連結する、ウェブと、ウェブの両側に設けられた一対のフランジとを有し、
前記現代の紙丁番は前記一対の溝形部材に交互に接着され、隣り合うパネル間で一方のパネルに対して、他方のパネルを３６０度回転できるように前記一対の溝形部材を連結し、
前記着脱式紙丁番装置により複数枚のパネルを一連に連結した、屏風式建具が構成されており、
前記屏風式建具を構成する複数枚のパネルのうち、一端又は両端に位置するパネルと、
免震突っ張り機構装着家具とが、
前記着脱式紙丁番装置により連結されていることを特徴とする、屏風式携行間仕切り。
【請求項３】
着脱式紙丁番装置を構成する溝形部材の溝内に、フック部が高さ方向に一定の間隔をあけて設けられ、パネルの縦端部には、前記フック部に対応する位置にフック受け部が設けられており、
前記溝形部材の前記フック部をパネルの前記フック受け部へ掛け留めて、前記着脱式紙丁番装置と前記パネルとが結合されていることを特徴とする、請求項１、２に記載した携行間仕切り。
【請求項４】
免震突っ張り機構装着支柱は、免震突っ張り機構を装着しており、
前記免震突っ張り機構は、免震突っ張り機構上部構造と免震突っ張り機構下部構造とで構成され、
前記免震突っ張り機構装着支柱は、前記免震突っ張り機構上部構造と前記免震突っ張り機構下部構造とで構成されており、
前記免震突っ張り機構上部構造は、中空構造の外側筒体と、上下方向へのスライドが可能な中空構造の内側筒体と、前記内側筒体の上端部に設けられた免震部材から構成され、
前記免震突っ張り機構下部構造は、前記外側筒体の下端部に設けられた免震部材から構成されており、
前記免震突っ張り機構上部構造は、前記内側筒体の上端部に設けられたボール支承と、前記内側筒体の内端部に設けられ、同内側筒体の上端部に設けたボール支承へ当接する弾性体と、前記弾性体へ突き当たる軸部材と、前記ボール支承のボール材を保持するホルダーとで構成され、
前記免震突っ張り機構下部構造は、ボール支承と、前記ボール支承のボール材を保持するホルダーとで構成されていることを特徴とする、請求項１に記載した屏風式携行間仕切り。
【請求項５】
免震突っ張り機構装着家具は、免震突っ張り機構を装着しており、
前記免震突っ張り機構は、免震突っ張り機構上部構造と免震突っ張り機構下部構造とで構成され、
前記免震突っ張り機構装着家具は、前記免震突っ張り機構上部構造と家具材及び前記免震突っ張り機構下部構造とで構成されており、
前記免震突っ張り機構上部構造は、家具材の上面に設けられ、中空構造の外側筒体と、上下方向へのスライドが可能な中空構造の内側筒体と、前記内側筒体の上端部に設けられた免震部材から構成され、
前記免震突っ張り機構下部構造は、前記家具材の下面に設けられた免震部材から構成されており、
前記免震突っ張り機構上部構造は、前記外側筒体の下端部を前記家具材の上面に固定することで、前記家具材の上面に固定され、
前記免震突っ張り機構上部構造は、前記内側筒体の上端部に設けられたボール支承と、前記内側筒体の内端部に設けられ、同内側筒体の上端部に設けたボール支承へ当接する弾性体と、前記弾性体へ突き当たる軸部材と、前記ボール支承のボール材を保持するホルダーとで構成され、
前記免震突っ張り機構下部構造は、ばね付きキャスター、積層ゴム付きキャスター、ばね支承、積層ゴム支承、転がり支承、滑り支承などのいずれかを取り付けて構成されていることを特徴とする、請求項２に記載した屏風式携行間仕切り。
【請求項６】
着脱式紙丁番装置を構成する溝形部材の溝内に、高さ方向に一定の間隔をあけてフック部が設けられ、免震突っ張り機構装着支柱の側面には、前記フック部に対応する位置にフック受け部が設けられており、
前記溝形部材の前記フック部を前記免震突っ張り機構装着支柱の前記フック受け部へ掛け留めて、前記着脱式紙丁番装置と前記免震突っ張り支柱とが結合されていることを特徴とする、請求項１、４に記載した屏風式携行間仕切り。
【請求項７】
着脱式紙丁番装置を構成する溝形部材の溝内に、高さ方向に一定の間隔をあけてフック部が設けられ、免震突っ張り機構装着家具の家具材の側面には、前記フック部に対応する位置にフック受け部が設けられており、
前記溝形部材の前記フック部を前記免震突っ張り機構装着家具の家具材の前記フック受け部へ掛け留めて、前記着脱式紙丁番装置と前記免震突っ張り機構装着家具とが結合されていることを特徴とする、請求項２、５に記載した屏風式携行間仕切り。
【請求項８】
パネルの下端部には、キャスター付きの下枠材が取り付けられており、
前記下枠材は、上向きコ字形状の溝形部材で構成され、前記溝形部材の溝内に、フック部が水平方向に一定の間隔をあけて設けられ、ウェブの外面にキャスターが取り付けられており、
前記パネルの下端部には、前記フック部に対応する位置にフック受け部が設けられ、前記溝形部材の前記フック部をパネルの前記フック受け部へ掛け留めて前記下枠材が前記パネルへ取り付けられていることを特徴とする、請求項１、２に記載した屏風式携行間仕切り。
【請求項９】
屏風式建具と免震突っ張り機構装着支柱及び免震突っ張り機構装着家具とで構成されることを特徴とする、請求項１〜８に記載した屏風式携行間仕切り。
【発明の詳細な説明】
【技術分野】
【０００１】  本発明は、屏風式建具と免震突っ張り機構装着支柱（以下、免震突っ張り支柱）及び免震突っ張り機構装着家具（以下、免震突っ張り家具）の基本的３アイテムで構成され、
前記基本的３アイテムを様々に組み合わせる又は組み替えることで間仕切りを形成し、住み替え及び間仕切り替えが必要になった場合、間仕切りの転用・追加・部分交換が容易に可能になり、様々な居室に対して適応多能性を持つ、長期的な継続使用が可能な、免震突っ張り機構装着支柱及び家具連結型、屏風式携行間仕切り（以下、携行間仕切り）に関する。
【背景技術】
【０００２】  現在、最も一般的に普及する住宅形式はｎＬＤＫ式住宅（１ＬＤＫ、２ＬＤＫ…、「ｎ」はｎｕｍｂｅｒの略）であり、ｎＬＤＫ式住宅の間仕切りは固定間仕切りが基本である。固定間仕切りは間仕切壁と建具枠を内装工事の前に、柱・間柱・筋違い・まぐさなど建物の躯体に固定して「先付け」する。そのため、建物と一体に固定されるためフレキシビリティに欠け、それによって次のような問題を生じている。間仕切り替えが難しい、間取りが定式化している、個室が閉鎖的である。【０００３】  上記の「先付け」に対して、「後付け」する間仕切りがある。内装工事の後に取り付けるもので、このような後付け間仕切りは、事務所建築の間仕切りとして一般的に使用されている。【０００４】  後付け間仕切りのうち、立っている人の視線を遮るものとしては、大きく２つのタイプに分けることができる。間仕切りの高さが天井高まであり、間仕切りが天井固定される「天井高タイプ」と、間仕切りの高さがそれより低く鴨居高くらいで、天井固定されない「鴨居高タイプ」である。【０００５】  天井高タイプの間仕切りの設置の仕方は、天井レールと床レールをビスやアンカーボルトなどで各々天井固定及び床固定して、それら天井レールと床レールに支柱を固定金物で固定し、それら天井レールと床レール及び支柱による四周枠にパネルを固定金具で固定する。そのため、天井高タイプの間仕切りの地震対策は、天井レール及び床レールの天井固定と床固定になる。支柱とパネルの固定角度は９０°及び１８０°で、それ以外の角度は受注生産が一般的である（例えば、非特許文献１を参照）。【０００６】  鴨居高タイプのパネルは天井固定しない。そのため、天井固定しないでもパネル自体が撓み難い厚さと強度を持ち、パネル間の角度が１８０°の場合はパネルに内臓の連結金具でパネル同士を突き付けで連結する。それ以外の角度でパネル同士を連結する場合は、パネルの高さと同じ高さのコーナーポストを介し、コーナーポストに連結する。コーナーポストの固定角度は９０°、１２０°、１３５°が一般的だが、その他、隣り合うパネルとの角度が１８０°から左右９０°まで角度を自由に設定できるフリージョイントがあり、鈍角の多角形なら自由に設定し易い。鴨居高タイプの間仕切りの地震対策は天井固定しないため、安定脚または固定金具による床固定とＬ・Ｔ・コ・Ｈ型のレイアウトを併用する必要があり、直線レイアウトもできない。そのため、レイアウト及び形が限定的になる（例えば、非特許文献２を参照）。【０００７】  日本の伝統的障屏具で人目や風を遮るために使われてきた屏風がある。屏風のパネル間は伝統的な紙丁番で連結され、伝統的な紙丁番はパネル間に隙間や出っ張りを作らずにパネルを３６０°回転することができる。そのため、伝統的な紙丁番でパネルを連ねると全体の形は自在になる、伝統的な紙丁番及び屏風の仕組みについて以下に簡単に説明する。【０００８】  屏風の伝統的な紙丁番は「羽根」と「くるみがけ」から構成される。伝統的な紙丁番はパネル間に隙間や出っ張りを作らずにパネルを３６０°回転することができるが、この特性は羽根によってもたらせる。
まず、羽根について説明する。図１（Ａ）（Ｂ）（Ｃ）は同大、同形のパネル２、２’間に接着した羽根の構成及び作用を示す。羽根は図１（Ａ）では紙片３１０ａ〜３１０ｄの４枚で構成される。各紙片は図の破線で示す位置で３節に折られる。３節のうち中央部分の横幅の寸法はパネル２、２’の厚みの寸法と同一になる。図１（Ａ）に示すように、紙片３１０ａ、３１０ｃは各紙片の３節のうち右端部の裏面をパネル２’の表側に接着する。紙片３１０ｂ、３１０ｄは各紙片の３節のうち左端部の裏面をパネル２の表側に接着する。
次に、図１（Ｂ）に示すように、紙片３１０ａ、３１０ｃは各紙片の３節のうち左端部の表面をパネル２の裏側に接着する。紙片３１０ｂ、３１０ｄは各紙片の３節のうち右端部の表面をパネル２’の裏側に接着する。そうすると、各紙片３１０ａ〜３１０ｄはパネル２、２’に交互に接着される。そして、各紙片の３節のうら中央部分、つまり、３１０ａ’、３１０ｂ’、３１０ｃ’、３１０ｄ’の横幅の寸法はパネル２、２’の厚みの寸法と同一であり、これらの部分はパネルの側面には接着されずに、パネルから遊離している。
図１（Ｃ）は図１（Ｂ）の平面図である。上記の羽根の仕組みによりパネル２’はパネル２に対して、パネル間に隙間や出っ張りを作らずにパネルを３６０°回転することができる。パネル２’がパネル２に対して時計回りに１８０°回転して（ロ）の位置に達するまではパネル２のコーナーの２Ａ回転軸▲１▼を中心にして回転する。そして、パネル２’が（ロ）から更に時計回りに１８０°回転して（ニ）の位置に達するまでは、パネル２のもう一方のコーナーの２Ｂ回転軸▲２▼を中心にして回転し、このようにしてパネル２’はパネル２に対して３６０°回転する。【０００９】  図２はくるみがけの施し方及び構成を示す。伝統的な紙丁番は和紙で作られたため、丁番の機能としては羽根だけは弱かった。そのため、羽根を補強するために羽根の部分の表側と裏側を各々くるむようにして紙を張った。それがくるみがけである。
図２（ａ）はパネル２、２’間を羽根で連結し、パネル２、２’間の回転角度が０°の状態である。この状態で図２（ｂ）のように、くるみがけ３１１ａの紙全面を羽根の紙片３１０ａ〜３１０ｄをくるむようにして接着する。しかし、この状態ではパネル２’はパネル２に対して１８０°しか回転しない。図２（ｂ）の３１１’の部分、つまり、くるみがけ３１１ａのうちパネル２、２’の側面に当たる部分で、羽根の紙片３１０ａ〜３１０ｄの各境に当たる位置３ヵ所に切れ目３１１’を入れる。そうすると、図２（ｂ）〜（ｅ）のようにパネル２’はパネル２に対して３６０°回転できる。
そして、３６０°回転すると図２（ｅ）のように、羽根の裏側、つまり、３１０ａ’〜３１０ｄ’が現われる。ここでも羽根の表側と同様に図２（ｆ）に示すように、もう１枚のくるみがけ３１１ｂの紙全面を羽根の紙片３１０ａ’〜３１０ｄ’をくるむようにして接着し、くるみがけ３１１ｂのうちパネル２、２’の側面に当たる部分で、羽根の紙片３１０ａ’〜３１０ｄ’の各境に当たる位置３ヵ所に切れ目３１１’を入れる。
このように、伝統的な紙丁番は「羽根」と表裏合わせて都合２枚の「くるみがけ」とで構成されるため、紙の層としては３層構造になる。そして、伝統的な紙丁番はパネルに直張りされている。
因みに、上記の伝統的な紙丁番の構成は、非特許文献３『表具の栞』に記載される屏風の「蝶番」の作り方と同様である。（非特許文献３、Ｐ１９３〜１９７を参照）【００１０】  また、屏風のパネルの構造は襖のパネルと基本的に同じであり、非特許文献４『紙の民具』では次のように記載されている。
「衝立、屏風、襖および障子はいずれも建物の仕切りで障屏具、俗に建具と呼ばれるものである。木で枠を作りなかに桟をいれて格子作りとし、その両面または片面に紙を張り、四方に縁をつけて仕上げ、直立できるように仕立てたものが衝立と屏風で、敷居と鴨居の間にはめ込んで左右に移動ができるように仕立てたものが襖と障子である。基本的な構造はまったく同じである」（非特許文献４、Ｐ４８を参照）。
つまり、屏風と襖のパネルの構造は基本的に同じであり、格子作りの木の骨組みに紙を張り、それに枠を取り付けたものである。【００１１】  次に、屏風の歴史及びそれに伴なう日本家屋のフレキシビリティの歴史と現状について以下に簡単に説明する。【００１２】  「屏風」については非特許文献５『建築大辞典』で次のように記載されている。
「風と人目をさえぎる調度の一。６８７年新羅（しらぎ）より天武天皇に貢せられたのが我が国での始まりという」（非特許文献５、Ｐ１３０１を参照）。
そして、前著非特許文献４『紙の民具』では次のように記載されている。
「『日本書紀』二九、天武紀、朱鳥元年（六八六）四月戌子に、新羅よりの贈物の名称が記されており、その中に屏風がある。この時に初めて屏風に接し、その物を知ったのである。法隆寺には、その遺品と推定されるものがあり、それを模して作ったと推定されているものもいくつか現存している。これらのものは、今日屏風と呼ばれているものとはことなり、衝立と呼ばれるものに類似している」（非特許文献４、Ｐ４８〜４９を参照）。
また、続いて
「漢代に作られた屏風にテイ素屏風と呼ばれたもののあることが伝えられている。テイは厚絹の意であるから、木板に金襴とか緞子のごとき織物を張って意匠したものと考えられる。わが国に最初に送られた屏風はおそらくこの種の屏風で、今日の衝立に他ならない。しかし、当時のものは硬屏風であるが現在のものは軟屏風である」（非特許文献４、Ｐ５０を参照）。
上記の記述は、７世紀に新羅から贈られた屏風は中国式屏風で、そのパネルの構造は木板に布を張ったものであり、日本の衝立に当たるが、現在の日本の屏風では、パネルは上記のように、格子作りの木の骨組みに紙を張り、それに枠を取り付けた構造で、そのパネルを使用して折畳むことができるようにした構成であり、当時のものとはパネルの構造及び屏風の構成が異なるということである。【００１３】  そして、「現存している最古の屏風は『東大寺献物帳』に収載されている鴨毛屏風で、これには天平勝宝三年（七五一）十月と日付けがある。新羅より贈られたものを仮にテイ素屏風とすると、六十五年後には軟屏風が使用されているので、この工法は養老、神亀年間（七一七−二五）に完成を見たと推察される」（非特許文献４、Ｐ５０〜５１を参照）、とあり、新羅から中国式パネルの屏風が贈られてから６５年という短い期間のうちに、既に７５１年に現在の日本式の屏風ができていたと推察されている。【００１４】  また、非特許文献３『表具の栞』でも、「中国は漢の時代にテイ素屏風というものがあった。…中国でいう屏風は我国の衝立の事である。天武天皇の朱鳥元年に新羅国から屏風を新献した事が『日本書紀』に出ている。…このときの屏風も衝立の事で、当時の遺物と思われる法隆寺仏壇背面に立てかけてある屏風を見ても知られる。…これ等が中国屏風の伝来の初である。…
木で骨格を作り、紙または絹を張って折畳むことが出来るようにした今の屏風は我国の創製である。明の郎瑛が『七修類藁』巻四十五倭国物の条に『古有二硬屏風一而無二軟屏風一…皆起自二本朝一因二東夷或貢或伝一而有也』と記しているが、この本朝とは明朝を指すので、同時代に軟屏風は我国から中国へ伝えらたと考えられる。…この硬屏風というのは銅板・木板等で造った中国従来の屏風で軟屏風とは我国の紙製のものを指す。」（非特許文献３、Ｐ１６６〜１６７を参照）、と記載されている。
上記は明（１４〜１７世紀）の時代の記録を引用してあり、新羅から日本に屏風が伝えられた７世紀よりかなり後の記録になるが、中国式屏風のパネルが木板を使用するのに対して、日本式屏風のパネルは格子作りの木の骨組みに紙を張る点、及び、新羅から贈られた屏風は中国式屏風で日本の衝立に当たるという点は、前著の非特許文献４『紙の民具』と共通している。
また、非特許文献３『表具の栞』では、日本式のパネルを使用して折畳むことができるようにした日本式屏風ができた時期について、次のように記載されている。
「現今のような折畳む屏風が何時代から始まったものであるかは詳ではないが、素より天武天皇時代に中国風の屏風を輸入してから後の事である。現存するものの内で最古の物は聖武天皇の遺物で東大寺に納められている屏風である。その内で鴨毛屏風は中の一枚の画側に『天平勝宝三年十月』の八字が記されており、制作年代が詳である。…（略）
…現今と最も異なっているのは蝶番である。右の『考古画譜』にせつめいしてある如く、六曲屏風の各扇が一枚一枚に離れ、一枚の四方に押木（縁）があり、左右の押木を長くして、下に二寸ばかりの足を付けている。蝶番は、押木の内部上下に穴があって、接扇というとじ紐で結んである」（非特許文献３、Ｐ１６９〜１７１を参照）。
同著で７５１年の鴨毛屏風を最古の日本式屏風（以下、屏風）としている点も非特許文献４『紙の民具』と共通する。【００１５】  上記のように、当時の屏風のパネル間は、押木と呼ばれる縦枠に穴を開けたりしてパネル間を通し紐で結んで連結していた。非特許文献４『紙の民具』では「『大内裏図考とう別録』下には、東大寺鴨毛屏風について、…とあり、また、東寺山水屏風について、…と記されている。…前者は押木に工作した対の穴に輪に紐を通し結んでつなぎとしているが、後者では押木に環のある金物を打ちつけて対の環に輪に紐を通し結んでつなぎとしている。前者の奈良中期の作品であるのに対し、後者は平安中期の作品であるから、二百五六拾年ぐらいの距たりがある。押木に穴をあけるとそれだけ弱くなるからそれを嫌って環金物にかえており、後には金物を革物にかえている」（非特許文献４、Ｐ５３〜５５を参照）、として、奈良中期の最古の屏風である鴨毛屏風の丁番である、押木に穴を開けて通し紐を使用するものと、平安中期の山水屏風の丁番である、押木に環金物を打ちつけて通し紐を使用するものを図示している（非特許文献４、Ｐ５４図１７を参照）。
このような通し紐や環金物は屏風の枠から出っ張るため、折畳んだ時に工夫をした銭形屏風と呼ばれるものがあった。「紐と金物が表面にあるから、たたんだ時にじかに接触する。それで、押木に円形の革をはり、これを防ぐ工夫があり、これが銭形屏風である。」（非特許文献４、Ｐ５４〜５５を参照）、として、銭形屏風を図示している（非特許文献４、Ｐ５４図１８を参照）。
そして、非特許文献３『表具の栞』では、屏風のパネルの丁番は通し紐の後に革を鋲打ちしたものが現われたことを記載している。「次に革を用いて蝶番とする事が起った。即ち、革を押木に当てて鋲で打ち付けたのである」（非特許文献３、Ｐ１７１を参照）。【００１６】  そして、屏風は「平安時代には宮廷や貴族の邸宅の間仕切りや儀礼・装飾のための調度として寝殿造に欠かせない室内要素として発達」した（非特許文献６『表具の辞典』Ｐ２８を参照）。
また、非特許文献７『講座日本美術史  第５巻〈かざり〉と〈つくり〉の領分』では、「寝殿造の空間は柱が林立する開放的なものであったから、儀式の場としてであれ、居住の場としてであれ、障屏具や座具・調度を並べて機能に応じた空間を作る必要があった。」（非特許文献７、Ｐ３６を参照）、と記載され、
平安時代（８〜１２世紀）の貴族の邸宅である寝殿造（しんでんづくり）では、儀式空間と生活空間が一つの空間で併用されるため、儀式を行うための開放的な大空間の中で、屏風は日常生活のために小空間を仕切る上で不可欠の障屏具であった。従って、屏風による大空間と小空間の可変が当時既に行われて、屏風によるフレキシビリティを既に手に入れていた。
尚、寝殿造の内部の様子については非特許文献８『日本人のすまい』のイラスト「寝殿の内部」を参照（非特許文献８、Ｐ３６を参照）。同イラストでは寝殿内部でジグザグ形に置かれた屏風がいくつか見受けられる。【００１７】  一般的に日本家屋はフレキシブルであると言われる。これはフレキシビリティに欠ける固定間仕切りによるｎＬＤＫ式住宅と対峙して使われ、通常、この場合の日本家屋は襖や障子の建具を使用した住宅形式を指す。日本家屋のフレキシビリティは一般的に襖や障子に由来すると思われがちである。しかし、非特許文献７『講座日本美術史  第５巻〈かざり〉と〈つくり〉の領分』では、平安時代の寝殿造の内部で、屏風から襖が成立したことが記載されている。
「仕切る場所が固定されてくると・・・建物に組み込まれて新しい建具が成立した」（非特許文献７、Ｐ４５を参照）。
上記のように、屏風のパネルと襖のパネルは基本的に同じ構造であり、格子作りの木の骨組みに紙を張りそれに枠を取り付ける。当時の屏風はパネル間を通し紐で連結していた。それに対して、襖はパネル間を連結せずに鴨居と敷居によるレール上に各パネルを可動する。柱の間にこのパネルを嵌め込んだ嵌め込み式の建具から、やがて引き違いの襖が成立した。
「柱の間に絹張りのパネル障子をはめ込んだものである。こうしたはめ込み式の襖障子は東三条殿寝殿の母屋と北庇の境にもみられるもので…引き違いの襖障子はそれより後に成立したと考えられる。…おそらく引き違いの建具の成立は十世紀のことであろう」（非特許文献７、Ｐ４６を参照）。
因みに、障子は非特許文献５『建築大辞典』によると、「平安時代に現われた障屏具の総称。…襖障子・唐紙障子…衝立障子・明り障子などがあるが、現在では明り障子だけを障子という」（非特許文献５、Ｐ７１９〜７２０を参照）。従って、上記の「パネル障子」はパネルを指し、「襖障子」は襖を指す。【００１８】  「寝殿造における引き違い建具の発明と普及は寝殿造を大きく変えていくことになった」（非特許文献５、Ｐ４６を参照）。
また、「寝殿造では襖などの取外しのできる引き違い建具によって空間を囲うシステムが考案され、この引き違い建具で空間を作るシステムを発展させ、より住宅にふさわしいものにした結果、書院造は生まれたのであった」（非特許文献５、Ｐ３６を参照）。【００１９】  鎌倉時代になると公家に代わって武士が台頭する。公家の経済力は衰退し、寝殿造の規模は縮小簡略化された。非特許文献９『住居史』では、「本来寝殿造では、主人やその家族がそれぞれ別棟に分かれて住み、寝殿は主人だけが住むところであったのが、１屋の中に家族のすべてが住まねばならなくなると、当然それらのそれぞれの空間を仕切ってつくらねばならなくなり、間仕切りの発達をうながすことになった」（非特許文献９、Ｐ７９〜８０を参照）。そして、武士の住宅も同じ系列であった。
寝殿造では天井板は張られず、柱は丸柱であり、また、大空間であったため畳は板床の上に必要な場所に置く「置畳」であったが、中世になると天井板が普及し、広間にすることも小室に仕切ることもできる襖と共に、外回りの建具として明かり障子が発達し、柱は角柱になり、また、小室に仕切られたため畳は敷き詰めた「敷き詰め畳」になった。そして、この住宅形式はやがて座敷奥の上段の間に床の間、違い棚、付書院、帳台構えという座敷飾を設けることを特色とする「書院造」として桃山時代に完成し、長い歴史を持つ日本家屋を代表する住宅形式として定着する。
古代日本で屏風が成立し、更に寝殿造で屏風から襖が成立して、中世に襖による間仕切りが、外回りの建具である障子と共に発達し、日本家屋を代表する住宅形式に発展した。
従って、日本家屋のフレキシビリティの源泉は襖や障子であると思われがちであるが、そうではなく、その元になった屏風ということになる。【００２０】  屏風の伝統的な紙丁番が成立するのは、非特許文献５『建築大辞典』によると、鎌倉時代から室町時代とされる（非特許文献５、Ｐ１３０１〜１３０２を参照）。非特許文献３『表具の栞』では、通し紐から始まる屏風の丁番は三つの形態に変遷したと記載している。「蝶番の変化を約言すると、第一期が綴じ紐で、第二期が革を打ったもの、第三期が紙の蝶番である」（非特許文献３、Ｐ１７５を参照）。
伝統的な紙丁番が使用される以前の屏風のパネルは四周に枠を取り付けていたため、屏風のパネル間には隣り合うパネルの各々の縦枠が存在したが、伝統的な紙丁番を使用する屏風では、パネル間に縦枠は存在しない。
後者は伝統的な紙丁番でパネルを連結した後に、屏風の表裏両側に各々仕上の紙を張る。伝統的な紙丁番を張った段階ではパネルの表裏両側には各々くるみがけの端部が現われている。しかし、仕上の紙は各パネルの表裏両側の各々全体に張るため、くるみがけの端部は隠れて見えなくなる。そのため、くるみがけは隣り合うパネル間でパネルの側面の部分だけに現われている状態になる。そして、仕上の紙を張った後に各パネルの上下に枠を取り付ける。そのため、伝統的な紙丁番を使用する屏風は通し絵を描くことができるようになった。
非特許文献４『紙の民具』では、伝統的な紙丁番を使用すると「つなぐ面には押木を使用しない。したがって、とぎれることなく全面に絵を描くことができる」（非特許文献４、Ｐ５６〜５７を参照）、として、従来の通し紐を使用する屏風と、伝統的な紙丁番を使用する屏風の違いを図示している（非特許文献４、Ｐ５６図２０を参照）。図中の「糸番」は通し紐を指し、「紙番」は伝統的な紙丁番を指す。
また、同著では紙丁番が３６０°回転する機能に関して、屏風を両方向に畳める効果を挙げている。「糸番屏風はたためるのは一方だけで、それで不都合はないが、できれば両方にたためると便利である。紙番は両方向にたためるので便利である」（非特許文献４、Ｐ５５〜５６を参照）。【００２１】  紙丁番を使用した金屏風を１４０１年には足利義満が中国へ贈っている。非特許文献３『表具の栞』では、「中国では我国の屏風がなく頗る珍重したので幕府は中国への進物に屏風を贈った。応永八年（一四〇一）足利義満が肥富を中国に遣わした時は屏風三隻が進物の内にあった。翌年も同じく金屏風を送った事が見えるので、この応永八年のものも、恐らく金屏風であったのであろう。『七修類藁』に…とある。金屏風も我国で創製したものである。この後足利幕府や徳川幕府が、海外諸国へ進物とした屏風は皆金屏風であった。
正徳元年（一七一一）に徳川幕府が朝鮮王国に贈った金屏風は二十隻で、これは当時の御絵師である狩野家に我国の歴史画又は故実風景を描かせたものであった。屏風は皆六曲である。朝鮮へ贈る場合二十隻ずつが定例であった。」（非特許文献３、Ｐ１６８を参照）。
また、非特許文献６『表具の辞典』では、「紙丁番は…屏風の芸術性に大きな変革をもたらした。桃山時代には絢爛豪華な金碧障壁画が数多く描かれ、幕府の重要な輸出品として中国だけでなくポルトガルにも渡りヨーロッパへと伝えられた」（非特許文献６、Ｐ２８を参照）、とある。【００２２】  因みに、上記の非特許文献３『表具の栞』の引用では、「金屏風も我国で創製したものである」とされ、徳川幕府が朝鮮へも度々金屏風を贈っていたことが記載されているが、伝統的な紙丁番は朝鮮から伝わったという説もある。同著では、「次に起ったのが紙の蝶番の屏風で、今の様式がこれである。この様式は吉野朝頃に朝鮮から伝わったものであると今泉集作翁が言われた。…」（非特許文献３、Ｐ１７４を参照）、とあり、朝鮮からの伝授説を記している。【００２３】  伝統的な紙丁番を使用した屏風の使い方としては非特許文献４『紙の民具』で次の例を挙げている。「屏風には、桃山時代の豪華絢爛たるものもあるが、茶席の風炉を囲む簡素なものもあり、また貧乏長屋の破れ布団を隠す枕屏風もある。」（非特許文献４、Ｐ５７を参照）。【００２４】  江戸時代の江戸の裏長屋は土間と部屋が一間あるだけだった。非特許文献９『住居史』では、裏長屋の枕屏風について次のように記載されている。「土間と部屋とのあいだに仕切の障子があるが、１間だけの部屋には押入れもなく、昼間たたまれた夜具は部屋の片隅に置かれ、枕屏風と呼ばれる低い２つ折れの屏風でかくされた。そしてまたこの屏風は、夜は枕もとに立てられ、土間にはいってきた夜の訪問者に寝姿を直ちに見られないようにするのに役だてられ、長屋の住人にとって、プライバシーを保つうえに欠くことのできない道具であった。」（非特許文献９、Ｐ１３５〜１３６を参照）とあり、
屏風は江戸時代には庶民にも日常的に使われていたことが窺われる。そして、紙丁番を使用するとパネル間に隙間がなくなるため、冬は隙間風を防ぐ効果も従来の屏風より上がったと考えられる。【００２５】  以上のように、日本家屋のフレキシビリティは古代日本で成立した屏風及びそれから発展した襖や障子によってもたらされた。従って、日本家屋のフレキシビリティの源泉は屏風であるということになる。【００２６】  しかし、近代化で住宅様式が様変わりした。従来の日本家屋では難しかったプライバシーを確保するために固定間仕切りによるｎＬＤＫ式住宅がアルミサッシと共に普及すると、人目や風を遮るための屏風は一般的には使われなくなった。それに対して、ｎＬＤＫ式住宅になっても和室は残り、襖や障子は現在も一般的に使われ、屏風とは対照的である。表具職人にとっては襖や障子は需要がある一方、屏風に関しては修復など限られた需要の中で伝統技術を踏襲することが主な仕事になり、量産化やめぼしい開発は行なわれてこなかったのが現状であり、屏風は閉塞的な状況に陥っている。
表具職人は紙丁番が３６０°回転し、それによって屏風は形が自在になる、ということは作業過程で当然知っている。しかし、一般の人は書画が描かれた屏風や金屏風を目にすることは多いが、屏風はジグザグ形に置かれるイメージがあるだけで、屏風に直接手を触れてパネルを回転する機会は少なく、屏風のパネルが３６０°回転することも知らず、また、屏風は実に巧みで、上記のようにパネル間には出っ張りもなく、あたかも何も存在しないように見えるため、書画が描かれた紙面の下に、くるみがけと羽根の仕組みがあろうことは想像し難い。一般の人は紙丁番を知らないという状況が生じ、量産化やめぼしい開発も行なわれず、伝統的な紙丁番は正に「埋もれた伝統技術」になっている。【００２７】  以上、屏風の歴史及びそれに伴なう日本家屋のフレキシビリティの歴史と現状について説明した。
次に、伝統的な紙丁番の効果について述べる。伝統的な紙丁番が成立する以前の従来の屏風に対する効果としては、通し絵を描くことができる、屏風を両方向に畳める、隙間風を防ぐ点について既述したが、非特許文献１０『表具のしるべ』でも、同じ効果が挙げられている。「紙の蝶つがえは皮、紐、金具の蝶つがえと異なり、表裏どちらにも折り曲がり、隙間風も来ず、風景画を揮ごうする時は六枚を通じて書ける」（非特許文献１０、Ｐ３を参照）。
伝統的な紙丁番は３６０°回転するため、それを使用してパネルを連ねると全体の形は自在になる。そのため、伝統的な紙丁番を使用した屏風は本来、形が自在になる。しかし、その効果は挙げられずに、３６０°回転する機能に関しては上記のように、屏風を両方向に畳めることだけが挙げられている。従来、伝統的な紙丁番を使用した屏風では形が自在になるという特性は生かされてこなかった。
その理由については次の二つが考えられる。
一つは、屏風は室内に固定できない。上記非特許文献８『日本人のすまい』掲載の「寝殿の内部」のイラストにも見られるように、屏風は室内に固定できないため、倒れ難い形としてジグザグ形に置かれることが昔から基本であり（非特許文献８、Ｐ３６を参照）、今日まで定式化していることが考えられる。
二つ目は、パネルの枚数を多く使うことが難しかった。伝統的な紙丁番でパネルを連ねる作業は緻密でたいへん手間が掛かるため、パネルの枚数を多くすると高価になることの他、枚数を多くすると屏風を移動する際に重かったことが考えられる。【００２８】  紙丁番を使った先行技術文献には特許文献１〜３がある。【００２９】  特許文献１記載の発明は明細書及び図面の記載からみて、次ように理解される。
屏風板連結シートであって、簡単でよりスピーディーに屏風板の連結を行なうことを目的としている。外側シート及び外側シート内面に複数に分割されて、一方の屏風板内面の縁部及び他方の屏風板内面の縁部に、交互に貼設される内側シートと、内側シートの分割位置に合わせて、外側シートに切り込まれたスリットから構成される。
屏風板連結シートを上記の伝統的な紙丁番と照らし合わせると、「外側シート」はくるみがけ、「スリット」は切れ目、「内側シート」は羽根に各々該当する。そして、この屏風板連結シートはパネルに直張りされる。
伝統的な紙丁番ではくるみがけは表裏合わせて都合２枚であるが、屏風板連結シートでは外側シート１枚である。従って、屏風板連結シートはくるみがけが１枚省略されているだけで、伝統的な紙丁番と同一の構造である。【００３０】  特許文献２記載の発明は明細書及び図面の記載からみて、次ように理解される。
折畳み式パネル連結体であって、金属製蝶番でパネル部材同士を連結するのに対して、軽量で安全性が高く、パネル部材同士の隙間が少なく、パネル部材同士を３６０°回動させることを目的としている。紙丁番は複数に分割された分割紙丁番の集合体として構成され、複数枚のパネル部材それぞれの側面端部近傍の側面全長に亘って隙間なく設置され、上下に隣り合う分割紙丁番ごとで互いの中間部が交差するようにパネル部材に対して設置されている。分割紙丁番の集合体の全面に対して化粧紙が貼り付けられると共に、分割紙丁番ごとの中間部の境界線上に切れ目を形成する表面側の化粧紙と裏面側の化粧紙から構成される。
折畳み式パネル連結体では「紙丁番」と「分割紙丁番の集合体」は同義とみなされる。折畳み式パネル連結体を上記の伝統的な紙丁番と照らし合わせると、「紙丁番」及び「分割紙丁番の集合体」は羽根、「化粧紙」はくるみがけ、「切れ目」は切れ目に各々該当する。そして、紙丁番及び分割紙丁番の集合体と化粧紙はパネルに直張りされる。また、化粧紙は表面側と裏面側の２枚が使用される。従って、折畳み式パネル連結体に於ける「紙丁番及び分割紙丁番の集合体と化粧紙」は、伝統的な紙丁番と構成も構造も同一である。
因みに、化粧紙を使用せず、紙丁番或いは分割紙丁番の集合体のみをパネルに固定する、つまり、くるみがけを使用せず、羽根のみをパネルに接着するとしても、パネルに直張りする伝統的な紙丁番とは構造的には同一である。
一方、折畳み式パネル連結体ではパネル部材同士を３６０°回動させることで、複数枚のパネル部材が折畳み自在に連結されることに着眼している。しかし、折畳み式パネル連結体の室内への固定方法は開示されておらず、複数枚のパネル部材を直線的に並べて使用する場合に、安定脚である自立補助具を使用する方法が開示されているだけである。また、パネルの移動をスムーズにする方法も開示されていない。【００３１】  特許文献３記載の発明は明細書及び図面の記載からみて、次ように理解される。
紙蝶番を付着した蝶番及び、それを用いてパネルを連結した屏風式製品であって、屏風を量産化し、間仕切りの形を自在に変化させ、設置や間仕切り替え及び移動が容易にできることを目的としている。紙蝶番をみぞ形部材に付着して着脱可能な蝶番をつくり、みぞ形部材の内側底面にフックを設けて、それをパネルの見込み側にあるフック受けに引っ掛けてパネル同士を連結する。また、室内への固定方法として、パネルの上部に折り曲げ式可動フックを設けて、天井に設けた角パイプなどに引っ掛けて固定する方法が開示され、移動を楽にするための手段として、パネルの下部にコロを設けている。
明細書では紙蝶番の説明としては、「屏風に用いられる蝶番の伝統的手法として、パネル同士を隙間がなく３６０°回転させることができる、紙でつくられた紙蝶番がある（例えば、非特許文献１を参照）」として、「非特許文献１  増補改訂『表具の栞』山本元著昭和５３年株式会社  芸ソウ堂出版Ｐ１９３〜１９７」を記載しているが、紙蝶番の構成については具体的な記載はない。しかし、この非特許文献１のＰ１９３〜１９７は、本願が伝統的な紙丁番の構成を説明した際に参照例として既述した、非特許文献３『表具の栞』Ｐ１９３〜１９７と同一であり、内容は伝統的な紙丁番の作り方が掲載されている。また、前記特許文献３の図面に掲載された、紙蝶番を付着した蝶番の図を見ると、くるみがけと切れ目が見られることから、前記特許文献３の「紙蝶番」は伝統的な紙丁番を指している。【００３２】  特許文献３記載の発明と特許文献１、２記載の発明を対比すると、次の点で相違する。
相違点１：特許文献３記載の発明では伝統的な紙丁番をみぞ形部材に付着して着脱可能な丁番にしている。これにより、量産化やパネルの増減及び部分交換がし易くなる。それに対して、特許文献１、２記載の発明は伝統的な紙丁番をパネルに直張りしている。
相違点２：特許文献３記載の発明では室内への固定方法として、パネルの上部には折り曲げ式可動フックを設けて、天井に設けた角パイプなどに引っ掛けて固定する方法が開示されている。それに対して、特許文献２記載の発明では室内への固定方法は開示されておらず、複数枚のパネル部材を直線的に並べて使用する場合に、安定脚である自立補助具を使用する方法が開示されているだけであり、特許文献１記載の発明でも室内への固定方法は開示されていない。
相違点３：特許文献３記載の発明では移動を楽にするための手段として、パネルの下部にコロを設けている。それに対して、特許文献１、２記載の発明では移動を楽にするための手段は開示されていない。
因みに、特許文献１〜３の各々の出願年度は、特許文献１が１９８７年、特許文献２が２００９年、特許文献３が２００４年である。【００３３】  物品を室内に固定する方法として突っ張り材に連結することは行なわれているが、免震機構を備えた構成については未だ見聞きされない。
【先行技術文献】
【非特許文献】
【００３４】
【非特許文献１】ＫＯＫＵＹＯ２０１３ファニチャー偏  Ｐ２００  プランナーウォールＧａシリーズ、ＫＯＫＵＹＯプランナーウォールＧａシリーズテクニカル偏Ｖｏｌ．２Ｐ３，５
【非特許文献２】ＫＯＫＵＹＯ２０１３ファニチャー偏  Ｐ１５８，１６４，１６７，１７０，１７６，１８６
【非特許文献３】増補改訂『表具の栞』山本元著  昭和５３年  株式会社芸ソウ堂出版Ｐ１６６〜１７１，１７４，１７５，１９３〜１９７
【非特許文献４】『紙の民具』廣瀬正雄著  昭和６０年  岩崎美術社  Ｐ４８〜５１，５３〜５７
【非特許文献５】『建築大辞典』＜縮刷版＞  昭和５７年  株式会社彰国社  Ｐ７１９〜７２０「障子」，１３０１〜１３０２「屏風」
【非特許文献６】『表具の辞典』  平成２３年  協同組合京都表装協会  Ｐ２８
【非特許文献７】『講座日本美術史第５巻〈かざり〉と〈つくり〉の領分』玉蟲敏子偏  川本重雄著  平成１７年  財団法人東京大学出版会  Ｐ３６，４５〜４６
【非特許文献８】『日本人のすまい』稲葉和也、中山繁信著  昭和５８年  株式会社彰国社  Ｐ３６
【非特許文献９】『住居史』渡辺保忠著  平成元年  日本女子大学通信教育事務部教材課  Ｐ７９〜８０，１３５〜１３６
【非特許文献１０】『表具のしるべ』湯山勇偏著  昭和２９年  『表具のしるべ』刊行会  Ｐ３
【特許文献】
【００３５】
【特許文献１】実願昭６２−８３５８９号公報
【特許文献２】特開２０１０−２７０４４８号公報
【特許文献３】特開２００６−７７５５８号公報
【発明の概要】
【発明が解決しようとする課題】
【００３６】  現在、最も一般的に普及する住宅形式はｎＬＤＫ式住宅であるが、その間仕切りは固定間仕切りが基本である。しかし、固定間仕切りには「間仕切り替えが難しい」という問題がある。
固定間仕切りは間仕切壁と建具枠を内装工事の前に、柱・間柱・筋違い・まぐさなど建物の躯体に固定して「先付け」するため、建物と一体に固定される。そのため、間仕切り替えで間仕切壁や建具枠を撤去する場合は、それと接する周囲の床壁天井の仕上と下地を傷めることになる。家族構成の変化などで間仕切り替えをする際に、例えば内装仕上げが異なる２室の境の間仕切壁を撤去する場合、２室分の内装を替える工事が必要になり、その分の廃棄物も出る。このように、固定間仕切りは間仕切り替えの際に工事及び廃棄物処理とそれに伴なう費用の負担が大きい。そのため、間仕明り替えを巡る「４択の悪循環」という課題がある。【００３７】  ４択の悪循環について簡単に説明する。
間仕切り替えが必要になった場合、一般的に次の４つから選択する。それら４つの選択肢と各々の問題を合わせて次に示す。
１．そのままで間仕切り替えはしない―多少不便でも我慢する。
２．間仕切り替えをする―既存間仕切りの撤去工事及び新設工事と廃棄物処理、並びにそ    れらに伴なう費用など環境負荷を含めて負担が大きい。
３．住み替える―物件探し、引越し作業、新しい環境への順応など負担が大きい。
４．住宅の寿命以前に建て替える―日本では住宅の寿命が短いため、間仕切り替えをせず    に住宅の寿命以前に建て替えてしまうという風潮も根強い。既存住宅の解体工事及び    新築工事と廃棄物処理、工事中の住み替えと引越し作業、並びにそれらに伴なう費用    と共に、寿命以前の建て替えは実質的な住宅の低寿命化を促し、環境負荷を含めて負    担は更に大きい。
以上の４つのいずれかを選択しても、再び、間仕切り替えが必要になれば、再び、同じ４選択をすることになり、４択の悪循環が続くことになる。【００３８】  固定間仕切りによるｎＬＤＫ式住宅では、間仕切り替えを巡るこの４択の悪循環によって、上記のような我慢や負担を余儀なくされ、「住宅の快適性（アメニティ）」という点に対しても、また、寿命以前の建て替えによる“住宅の低寿命化”や建て替えや間仕切り替えに伴なう“廃棄物処理”という「環境負荷」に対しても問題がある。【００３９】  固定間仕切りは間仕切り替えが難しいこと自体問題であるが、この間仕切り替えを巡る「４択の悪循環」は住生活の快適性全般や環境負荷に与える影響が広く、より大きな課題である。従って、固定間仕切りは間仕切り替えが難しいという問題は、この「４択の悪循環」を断つために解決する必要がある。【００４０】  次に、固定間仕切りの間仕切り替えが難しい原因を挙げる。
▲１▼間仕り壁と建具枠を建物に先付けするため、それらを転用し難い。
▲２▼戸が細分化しているため、それを転用し難い。
▲３▼家具が間仕切りから独立している。
▲４▼設置に釘やビスなどの金物を必要とする。【００４１】以下に、▲１▼〜▲４▼の原因について各々、説明すると共に、それに対する対処の方向性を述ベる。【００４２】  ▲１▼間仕切壁と建具枠を建物に先付けするため、それらを転用し難い。
固定間仕切りは間仕切壁と建具枠を柱・間柱・筋違い・まぐさなど建物の躯体に「先付け」する。そのため、建物と一体に固定されるため、間仕切り替えの際に転用し難い。
それに対して事務所建築で一般的に使用される「後付け」の間仕切りは転用し易い。
しかし、後付け間仕切りの天井高タイプの場合、天井レールと床レールをビスやアンカーボルトなどで各々天井固定及び床固定して、それらに支柱を取り付けるため、高さ方向と幅方向に規制がある。そのため、高さ方向では天井高が異なる居室への転用が難しい。既存の天井高より天井高が低い居室に転用する場合は、垂直方向で部材の切断が必要になり、逆に、天井高が高い居室に転用する場合は、垂直方向で足りない分を補うために部材の入替えが必要になる。そして、幅方向では既存と異なる場合、パネルの調整の他に天井レールと床レールの切断や入替えが必要になる。【００４３】  後付け間仕切りの鴨居高タイプの場合、天井固定をしないため、地震対策は安定脚または固定金物による床固定と、Ｌ・Ｔ・コ・Ｈ型レイアウトの併用が必要になる。そして、直線のレイアウトもできない。そのため、レイアウト及び形が限定的になる。【００４４】  後付け間仕切りの上記の問題に対処するためには、天井レールと床レール以外で天井と床を固定する地震対策が必要になる。そして、その手段としては突っ張り材による天井及び床間を固定する方法がある。
従って、上記の、▲１▼間仕切壁と建具枠を建物に先付けするため、それらを転用し難い、という原因に対する対処の方向性としては、間仕切り壁と建具枠を後付けにして、地震対策は突っ張り材を使用することである。【００４５】  ▲２▼戸が細分化しているため、それを転用し難い。
次に、どのように戸が細分化しているかを簡単に説明する。
１．戸は用途が分かれる。具体的には、室内扉、収納扉、可動間仕切りに分かれる。
２．用途毎に戸の種類が分かれる。具体的には、室内扉は開戸・引戸・折戸、収納扉は開戸・引戸・折戸、可動間仕切りは引戸・折戸に分かれる。
３．戸の種類毎に戸と建具枠とのジョイナーが分かれる。具体的には、開戸は丁番・ピポットヒンジに分かれ、引戸は襖のようなレールのみ・レールとローラーを組み合わせたローラー仕様に分かれるが、後者は更に上吊り式と下荷重式に分かれ、折戸はレールとローラーを組み合わせたローラー仕様があり、上吊り式と下荷重式に分かれる。
４．上記３の戸は建具枠が分かれる。具体的には、上枠と縦枠による三方枠・上枠のみ・枠なしに分かれる。
５．後付け間仕切りの天井高タイプ及び鴨居高タイプでは、戸は工業製品であるが、固定間仕切りでは戸は工業製品と建具職制作によるものに分かれる。そのため、固定間仕切りでは上記の分類は更に分かれる。
６．建具職制作の場合は工業製品と異なり、量産ではなく注文制作になるため工業製品に比べて種類ははるかに多くなり細分化が進む。【００４６】  戸が細分化していると転用する際に応用が難しい。戸の細分化に対して、戸を万能化できれば応用性が広がるため転用し易くなる。【００４７】  上記▲１▼の原因に対する対処の方向性として、間仕切壁を後付けにするとしたが、間仕切り壁を後付けにするということは、後付け間仕切りの「間仕切りパネル」になることである。そして、後付け間仕切りの天井高タイプと鴨居高タイプではどちらも、間仕切りパネルの取り付け方と戸の取り付け方は仕組みが異なる。【００４８】  天井高タイプの場合、間仕切りパネルは天井レールと床レール及び支柱による四周枠に取り付ける。
それに対して、引戸や折戸を取り付ける場合は、上枠になる天井レールはローラーが走行できるように加工されたもので、間仕切りパネルとは異なる天井レールになる。また、開戸を取り付ける場合は天井レールと支柱に各々上枠と縦枠からなる三方枠を取り付け、一方の縦枠と戸を丁番で結合する。【００４９】  鴨居高タイプの場合、間仕切りパネルは隣り合うパネル間の角度が１８０°の場合はパネル同士を突き付けで結合し、それ以外の角度ではパネルと同じ高さのコーナーポストを介してパネルを結合する。
鴨居高タイプは天井固定されないため、戸を取り付ける場合は強度を保つために、戸はコーナー或いは端に設置する。引戸を取り付ける場合は、引戸用の三方枠のうち、一方の縦枠をコーナーポストに結合し、もう一方の縦枠は戸を取り付けた後に隣り合うパネルの端部に直接結合する。そして、上枠は引き戸用にレールが加工されている。因みに、鴨居タイプでは強度上、間口の大きい戸の設置が難しいためと考えられるが、折戸は見当たらない。また、開戸を取り付ける場合は、開き戸用の三方枠を引戸と同様に、三方枠のうち一方の縦枠をコーナーポストに結合し、もう一方の縦枠は戸を取り付けた後に隣り合うパネルの端部に直接結合し、一方の縦枠と戸を丁番で結合する。【００５０】  以上のように、後付け間仕切りの天井高タイプと鴨居高タイプでは各々、間仕切りパネルと戸を取り付ける仕組みが異なる。しかし、異なる仕組みではなく同一の仕組みで取り付けることができれば、応用性は高くなる。つまり、「戸」だけが万能化するのではなく、「戸」と「間仕切りパネル」が同一の仕組みで万能化して、「戸」と「間仕切りパネル」の２通りの使い方ができるものであれば、応用性が高くなり間仕切り替えはし易くなる。【００５１】  「戸」と「間仕切りパネル」を合わせたものを「建具」として扱うと、「建具を万能化する」ことになる。
従って、上記の、▲２▼戸が細分化しているため、それを転用し難い、という原因に対する対処の方向性としては、「建具を万能化する」ことである。【００５２】  ▲３▼家具が間仕切りから独立している。
固定間仕切りでは家具は間仕切りから独立して、一般的に置き家具、壁面家具、間仕切り家具が使用されるが、次のような問題がある。【００５３】  置き家具は最も一般的に使用される家具で、家具の背面を壁面に接して置くため家具が壁面から出っ張る。そのため、家具の存在感が強くなりインテリアを合わせるのが難しい。せっかくインテリアを合わせても、間仕切り替えをしたり、住み替えると再び合わせるのに苦労する。【００５４】  壁面家具は片面使いで背面を建物に壁固定し、家具の上部と両脇も建物と隙間が生じないように設置するため、壁面に埋め込む形式である。そのため、インテリアはすっきりするが転用し難い。また、背面を壁固定するため壁面に接しないで置く中置きができず、レイアウトが限定的になる。【００５５】  間仕切り家具は両面使いで側面を壁固定して間仕切りとして使用できる。しかし、間仕切り家具は開戸などの建具と連結できないため、間仕切り家具の脇に出入口を設ける場合は出入りできるスペースを確保するだけで、出入り口を建具によって閉じることができない。そのため、プライバシーを保つことは難しくなりレイアウトが限定的になる。【００５６】  以上、家具が間仕切りから独立していることによる問題を挙げたが、固定間仕切りだけではなく、後付け間仕切りでも家具は間仕切りから独立している。【００５７】  固定間仕切りで家具が間仕切りから独立していることによる、上記の置き家具・壁面家具・間仕切り家具の問題に対処するためには、家具を間仕切りのシステムに組み込み、組み込まれた家具は埋め込み式の壁面家具になり、転用し易く、レイアウトが自由で、かつ、家具と建具の連結が可能になるものである必要がある。【００５８】  これらの条件を満たす家具を間仕切りのシステムに組み込むためには、「建具」を万能化するだけではなく、「建具」と「家具」の両方を一つの仕組みで万能化する必要がある。
従って、上記の、▲３▼家具が間仕切りから独立している、という原因に対する対処の方向性としては、「建具」と「家具」を一つの仕組みで万能化することである。【００５９】  ▲４▼設置に釘やビスなどの金物を必要とする。
固定間仕切りの設置には釘やビスなどの金物を必要とするため専門業者が必要になり、また、金物の使用に規制がある賃貸物件では設置が難しい。地震対策は突っ張り材を採用すればノンビス式になる。
従って、上記の、▲４▼設置に釘やビスなどの金物を必要とする、という原因に対する対処の方向性としては、地震対策は突っ張り材を採用することである。【００６０】  以上、固定間仕切りの間仕切り替えが難しい原因及びその対処の方向性を挙げたが、これらをまとめると次のようになる。
「間仕切りを後付けにして、地震対策は突っ張り材を採用し、建具と家具を一つの仕組みで万能化する。」
従って、「間仕切りを後付けにして、地震対策は突っ張り材を採用し、建具と家具を一つの仕組みで万能化することにより、間仕切り替えをし易くする」ことを課題とする。【００６１】  以上、固定間仕切りは間仕切り替えが難しいという問題を指摘したが、固定間仕切りはフレキシビリティに欠けるため、この他に次のような問題がある。【００６２】  間取りが定式化している。
固定間仕切りによるｎＬＤＫ式住宅は１ＬＤＫ、２ＬＤＫ…であるため、住み替えるときは「希望に近い間取り」の物件を探すことになり、「希望の間取り」にするためには注文住宅で建てる必要がある。【００６３】  個室が閉鎖的である。
固定間仕切りの間仕切壁は、床から天井まで隙間がない天井高タイプであるため遮音性が高い。そのため、固定間仕切りによる個室は家族間のプライバシーを尊重するという長所があるが、一方で、閉鎖的で家族が個室にこもりバラバラになりがちになるという短所を併せ持つ。【００６４】  以上、固定間仕切りの問題を挙げた。
固定間仕切りは間仕切りを建物に固定して使用する。電話機の固定電話も電話機を建物に固定して使用する。
一方、携帯電話は固定電話に対して、「どこでも使える」というメリットがある。そして、携帯電話は更に機能性を高めたスマートフォンに現在は移行している。しかし、住宅では固定間仕切りによるｎＬＤＫ式住宅が、固定電話と同じく高度経済成長期に普及し始めたが、電話機がこのように進化しているのに対して、住宅の間仕切りは現在も固定間仕切りが基本である。【００６５】  固定間仕切りはフレキシビリティに欠ける。それに対して、屏風及びそれから発展した襖や障子という日本の伝統的な障屏具はフレキシビリティという特性を持つ。屏風及びそれから発展した襖や障子が持つ特性であるフレキシビリティを発展させて、フレキシビリティに欠ける固定間仕切りの上記の問題に対処し、更に今日の生活に対応し易い間仕切りとすることを課題とする。
【課題を解決するための手段】
【００６６】  固定間仕切りの間仕切り替えが難しいという問題に対する対処の方向性の一つとして、「建具を万能化する」ことを挙げた。建具を万能化するための一つの条件として、形が自在になる必要がある。そのためには３６０°回転する丁番を使用する必要がある。【００６７】  ３６０°回転する丁番には屏風に用いられる伝統的な紙丁番がある。伝統的な紙丁番はパネル間に隙間や出っ張りを作らずに３６０°回転することができる特長がある。伝統的な紙丁番は「羽根」と「くるみがけ」から構成される。隙間や出っ張りを作らずに３６０°回転する機能は羽根によって実現する。昔は紙丁番は和紙で作られたため、羽根だけでは丁番としては強度的に弱いため、羽根の表側と裏側をくるみがけによって補う必要があった。
しかし、現代ではアラミド繊維のような化学繊維など強度が強く柔軟性がある素材がある。強度が和紙より強く柔軟性がある素材を使用した、「羽根」だけで構成される、「現代の紙丁番」にすることができる。それにより、くるみがけの分の材料と手間を省くことができ、丁番としての構造は至極単純になる。材料と手間が省ける分、コストを下げることができる。そうすれば、パネルの枚数は使い易くなる。【００６８】  伝統的な紙丁番は隣り合うパネルに直張りされたが、現代の紙丁番を一対の溝形部材に接着して、着脱可能な丁番装置である着脱式紙丁番装置にする。
前記着脱式紙丁番装置は一対の溝形部材と、現代の紙丁番とを備え、
前記各溝形部材の溝部は、前記各パネルの縦端部を嵌め合わせて着脱可能に連結する、ウェブと、ウェブの両側に設けられた１対のフランジとを有し、
前記現代の紙丁番は前記一対の溝形部材に交互に接着され、隣り合うパネル間で一方のパネルに対して、他方のパネルを３６０度回転できるように前記一対の溝形部材を連結し、前記着脱式紙丁番装置により複数枚のパネルを一連に連結した、屏風式建具を構成する。【００６９】  着脱式紙丁番装置を構成する溝形部材の溝内に、フック部が高さ方向に一定の間隔をあけて設けられ、パネルの縦端部には、前記フック部に対応する位置にフック受け部が設けられており、
前記溝形部材のフック部をパネルのフック受け部へ掛け留めて、前記着脱式紙丁番装置と前記パネルとが結合される。【００７０】  着脱式紙丁番装置にすることにより、建具を万能化する上で必要なパネルの連結及び取り外しが簡単になる。それによりパネルの増減がし易くなり、また、部分交換も容易になる。【００７１】  パネルの下端部には、キャスター付きの下枠材が取り付けられており、
前記下枠材は、上向きコ字形状の溝形部材で構成され、前記溝形部材の溝内に、フック部が水平方向に一定の間隔をあけて設けられ、ウェブの外面にキャスターが取り付けられており、
前記パネルの下端部には、前記フック部に対応する位置にフック受け部が設けられ、前記溝形部材の前記フック部をパネルの前記フック受け部へ掛け留めて前記下枠材が前記パネルへ取り付けられる。
このように、屏風式建具はキャスターによりスムーズに動く。【００７２】  しかし、屏風式建具だけでは室内に固定することだできないため、固定する方法が必要になる。地震対策は上記のように突っ張り材を採用するため、屏風式建具を連結する支柱は突っ張り材の形式とする。【００７３】  そして、突っ張り材の形式としては免震突っ張り機構を採用する。
免震突っ張り機構は免震突っ張り機構上部構造と免震突っ張り機構下部構造とで構成される。
前記免震突っ張り機構上部構造は、中空構造の外側筒体と、上下方向へのスライドが可能な中空構造の内側筒体と、前記内側筒体の上端部に設けられた免震部材から構成され、
前記免震突っ張り機構上部構造は、前記内側筒体の上端部に設けられたボール支承と、前記内側筒体の内端部に設けられ、同内側筒体の上端部に設けたボール支承へ当接する弾性体と、前記弾性体へ突き当たる軸部材と、前記ボール支承のボール材を保持するホルダーとで構成され、
地震などの揺れに対して、水平方向へ変位し易くして揺れの吸収を行ないながら突っ張る。
前記免震突っ張り機構下部構造は、下端部に設けられた免震部材から構成され、
前記免震突っ張り機構下部構造は、ボール支承及び前記ボール支承のボール材を保持するホルダー、ばね付きキャスター、積層ゴム付きキャスター、ばね支承、積層ゴム支承、転がり支承、滑り支承などのいずれかを取り付けて構成され、
地震などの揺れに対して、上部の本体を水平方向へ変位し易くして揺れの吸収の効果を高める。【００７４】  従って、支柱は免震突っ張り機構を装着した支柱、つまり、免震突っ張り支柱とする。
前記免震突っ張り支柱は、免震突っ張り機構を装着しており、
前記免震突っ張り支柱は、前記免震突っ張り機構上部構造と前記免震突っ張り機構下部構造とで構成されており、
前記免震突っ張り機構上部構造は、中空構造の外側筒体と、上下方向へのスライドが可能な中空構造の内側筒体と、前記内側筒体の上端部に設けられた免震部材から構成され、  前記免震突っ張り機構下部構造は、前記外側筒体の下端部に設けられた免震部材から構成されており、
前記免震突っ張り機構上部構造は、前記内側筒体の上端部に設けられたボール支承と、前記内側筒体の内端部に設けられ、同内側筒体の上端部に設けたボール支承へ当接する弾性体と、前記弾性体へ突き当たる軸部材と、前記ボール支承のボール材を保持するホルダーとで構成され、
前記免震突っ張り機構下部構造は、ボール支承と、前記ボール支承のボール材を保持するホルダーとで構成されていることを特徴とする。【００７５】  屏風式建具と免震突っ張り支柱の連結も、屏風式建具のパネル間と同様に着脱式紙丁番装置を使用すれば、ジョイナーは１種類で済むため応用性は広くなる。
屏風式建具と免震突っ張り支柱を着脱式紙丁番装置で連結することにより、屏風式建具は室内に固定される。【００７６】  一方、戸と間仕切りパネルから成る「建具」を万能化するということは、戸と間仕切りパネルの２通りの使い方ができる必要がある。屏風式建具と免震突っ張り支柱を着脱式紙丁番装置で連結する場合は、屏風式建具の一端を免震突っ張り支柱に連結する使い方と、両端を免震突っ張り支柱に連結する２通りの使い方ができる。一端を固定する場合は、折畳んだり引き伸ばして好みの形にすることができる、「一端固定自在折戸」になり、室内扉、収納扉、可動間仕切りとして使用でき、かつ、それらの形が自在になる。両端を固定する場合は、「両端固定自在間仕切りパネル」になり、間仕切りパネルとして使用でき、かつ、その形が自在になる。従って、屏風式建具は１種類で、形が自在になり、かつ、室内扉、収納扉、可動間仕切り、間仕切りパネルの４つの用途に対応することができるため、「建具を万能化する」することができる。【００７７】  また、「建具と家具を一つの仕組みで万能化する」課題がある。そのため、家具の地震対策も免震突っ張り機構を採用する。従って、家具は免震突っ張り機構を装着した家具、つまり、免震突っ張り家具とする。
前記免震突っ張り家具は、免震突っ張り機構を装着しており、
前記免震突っ張り家具は、前記免震突っ張り機構上部構造と家具材及び前記免震突っ張り機構下部構造とで構成されており、
前記免震突っ張り機構上部構造は、家具材の上面に設けられ、中空構造の外側筒体と、上下方向へのスライドが可能な中空構造の内側筒体と、前記内側筒体の上端部に設けられた免震部材から構成され、
前記免震突っ張り機構下部構造は、前記家具材の下面に設けられた免震部材から構成されており、
前記免震突っ張り機構上部構造は、前記外側筒体の下端部を前記家具材の上面に固定することで、前記家具材の上面に固定され、
前記免震突っ張り機構上部構造は、前記内側筒体の上端部に設けられたボール支承と、前記内側筒体の内端部に設けられ、同内側筒体の上端部に設けたボール支承へ当接する弾性体と、前記弾性体へ突き当たる軸部材と、前記ボール支承のボール材を保持するホルダーとで構成され、
前記免震突っ張り機構下部構造は、ばね付きキャスター、積層ゴム付きキャスター、ばね支承、積層ゴム支承、転がり支承、滑り支承などのいずれかを取り付けて構成されていることを特徴とする
前記免震突っ張り家具は前記震突っ張り機構上部構造を前記家具材の上面に２ヶ所設け、また、前記家具材を構成するパネルのうち、前記免震突っ張り機構上部構造を支えるパネルの下部に前記免震突っ張り機構下部構造を適宜取り付ける。【００７８】  屏風式建具と免震突っ張り支柱の連結は屏風式建具のパネル間と同じ着脱式紙丁番装置を使用するが、屏風式建具と免震突っ張り家具の連結も同様に着脱式紙丁番装置を使用すれば、ジョイナーは１種類で済むため応用性が広がり、「建具と家具を一つの仕組みで万能化する」ことができる。【００７９】  免震突っ張り機構は免震部材により、地震などの揺れを吸収しながら突っ張ることが可能になる仕組みである。前記免震突っ張り機構を装着した突っ張り材は免震型になる。揺れを吸収するため、揺れに対して安定性が高くなり柱頭を小型化できる。換言すると、柱頭を小型化しても揺れに対して転倒し難い。免震突っ張り機構の柱頭（ホルダー）は支柱（外側筒体）の直径と同じか、それより若干小さい直径の円柱にすることができるため小さく、かつ、方向性がない。
それに対して、市販の家具転倒防止用の突っ張り材など耐震型の突っ張り材は、柱頭を柱身より大きくしないと揺れに対応し難い。柱頭が大きいと目障りである。また、柱頭の平面が円形ではなく、方向性のある形状である場合は、設置する際に向きを気にする必要があるため面倒であり、揺れなどで向きがずれると更に目障りになる。同形の突っ張り材が一つの室内に複数ある場合は、前記の支障は増幅する。そして、柱頭が柱身より大きい支柱は部屋の隅に設置すると隙間ができるため、設置し難い【００８０】  以上、固定間仕切りは間仕切り替えが難しいという問題を解決するために、「間仕切りを後付けにして、地震対策は突っ張り材を採用し、建具と家具を一つの仕組みで万能化する」という課題に対しては、
「着脱式紙丁番装置」と「免震突っ張り機構」を根幹技術として採用し、前記根幹技術により、「屏風式建具」と「免震突っ張り支柱」及び「免震突っ張り家具」とで構成される「基本的３アイテム」を形成し、前記基本的３アイテムを様々に組み合わせる又は組み替えることで建具と家具の万能化を図ることが可能になることを特徴とする携行間仕切りによって対処することができる。携行間仕切りは間仕切り替えの他、間仕切りを携行して住み替えに対しても対応する間仕切りである。
【発明の効果】
【００８１】  本発明の携行間仕切りは、「建具と家具の万能化」を根本原理とし、それを実現するための根幹技術として「着脱式紙丁番装置」及び「免震突っ張り機構」を採用することにより、「屏風式建具」と「免震突っ張り支柱」及び「免震突っ張り家具」とで構成される「基本的３アイテム」により成り立つ。そして、前記基本的３アイテムの次の６つの効果により、前記基本的３アイテムを組み合わせる又は組み替えることで建具と家具の万能化を図ることが可能になる。【００８２】  ▲１▼着脱式紙丁番装置により連結及び取り外しが容易になる。
ジョイナーは着脱式紙丁番装置１種類で済み、パネルとパネル、パネルと免震突っ張り支柱、パネルと免震突っ張り家具との連結及び取り外しが容易になる。そのため、転用・追加・部分交換が容易に可能になる。【００８３】  ▲２▼屏風式建具には、免震突っ張り支柱又は免震突っ張り家具と連結することにより、「一端固定自在折戸」と「両端固定自在間仕切りパネル」の２つの使用法がある。
「一端固定自在折戸」は室内扉、収納扉、可動間仕切りの用途に使用することができ、かつ、それらの形が自在になる。「両端固定自在間仕切りパネル」は間仕切りパネルとして使用することができ、かつ、その形が自在になる。従って、屏風式建具は１種類で戸と間仕切りパネルに対応し、形が自在になり、かつ、室内扉、収納扉、可動間仕切り、間仕切りパネルの４つの用途に対応が可能になる。つまり、建具として万能化する。【００８４】  ▲３▼基本的３アイテムにより、間仕切りの豊富なバリエーションが可能になる。
上記のように、屏風式建具は形が自在になり、かつ、４つの用途に対応するが、屏風式建具を室内に固定する固定元には免震突っ張り支柱と免震突っ張り家具の２アイテムがあるため、組み合わせのバリエーションは広がる。更に、免震突っ張り家具は棚、机、クローゼットなど様々な用途と意匠のものを製作できる。そのため、屏風式建具、免震突っ張り支柱及び免震突っ張り家具の３つという少ない基本的アイテムで、それらを様々に組み合わせることで豊富なバリエーションの間仕切りを構成することができる。【００８５】  ▲４▼着脱式紙丁番装置及び免震突っ張り機構によりレイアウトが自由になる。
着脱式紙丁番装置は３６０°回転する現代の紙丁番を付着しているため、レイアウトの際、形が自在になる。また、室内の固定は免震震突っ張り機構によるため、レイアウトの際、位置が自由になる。【００８６】  ▲５▼免震突っ張り機構のアジャスターにより高さ調整が可能になる。
そのため、天井高が異なる居室への間仕切り替え及び住み替えにも対応し易い。【００８７】  ▲６▼免震突っ張り機構によりノンビス式で室内への固定が可能になる。
そのため、間仕切りの設置及び取り外しが簡単であり、また、ビス使用が難しい賃貸物件でも設置し易い。【００８８】  以上の基本的３アイテムの効果により、前記基本的３アイテムを組み合せる又は組み替えることで建具と家具の万能化を図ることができる。また、上記の効果により本発明の携行間仕切りは次の３つの性能を持つ。【００８９】  Ａ．転用性が高い。
そのため、応用性が広く、間仕切り替えや住み替えをしても対応し易い。【００９０】  Ｂ．家具と建具の連結が可能になる。
屏風式建具は収納扉や室内扉、可動間仕切りの用途に対応できるため、免震突っ張り家具と屏風式建具を連結して、屏風式建具を前記の用途として使用することができる。
例えば、免震突っ張り家具に収納扉或いは室内扉を連結した例として、図１６（Ａ）、（Ｂ）、（Ｃ）を示す。屏風式建具１０，１０’は各々２枚のパネル２を着脱式紙丁番装置３で連結し、同一面上に設置されている。前記屏風式建具１０の右端に位置するパネル２の右端部に取り付けた着脱式紙丁番装置３に、免震突っ張り支柱５を取り付け、前記屏風式建具１０’の左端に位置するパネル２の左端部に取り付けた着脱式紙丁番装置３に、免震突っ張り家具６を取り付けた構成を示している。前記屏風式建具１０，１０’は各々一端固定自在折戸として開閉することができ、図１６（Ｂ）は前記屏風式建具１０，１０’を各々閉じた状態を示している。
前記免震突っ張り家具６を壁面置きにして、前記屏風式建具１０，１０’をクローゼットの収納扉として使用することができる。前記免震突っ張り家具６の面と前記屏風式建具１０，１０’の面が略同一面上になるため、免震突っ張り家具６を埋め込み式の壁面家具にすることができ、かつ、パネルの幅の調整だけで全体の幅を部屋幅に合わせることが容易にできるため、インテリアがすっきりする。
また、前記免震突っ張り家具６を中置きにして間仕切り家具として使用し、前記屏風式建具１０，１０’を室内扉として使用して、プライバシーを保つ利用も可能になる。
そして、上記の例の他、免震突っ張り家具に連結した屏風式建具を可動間仕切りとして使用することも可能である。普段は前記免震突っ張り家具の脇に前記可動間仕切りを折畳み、必要な時に引き伸ばして好みの形にして間仕切る。
このように、免震突っ張り家具と屏風式建具の連結が可能になると、インテリア性が優れると共に、レイアウトの応用性が広がりニーズに対応し易くなる。【００９１】  Ｃ．単一的用途から複合的用途まで組み合わせが可能である。
単一的用途の組み合わせの例として、図７（Ａ）、（Ｂ）、（Ｃ）を示す。
屏風式建具１０、１０’は各々、３枚のパネル２を着脱式紙丁番装置３で連結し、同一面上に設置されている。前記屏風式建具１０の右端に位置するパネル２の右端部に取り付けた着脱式紙丁番装置３に、免震突っ張り支柱５を取り付け、前記屏風式建具１０’の左端に位置するパネル２の左端部に取り付けた着脱式紙丁番装置３に、免震突っ張り支柱５’を取り付けた構成を示している。前記屏風式建具１０、１０’は各々一端固定自在折戸として開閉することができ、図７（Ｂ）は前記屏風式建具１０、１０’を各々閉じた状態を示している。前記屏風式建具１０、１０’はクローゼットの収納扉或いは室内扉として使用することができる。【００９２】  複合的用途の組み合わせの例として、図１９（Ａ１）、（Ａ２）、（Ｂ）、図２０（Ａ１）、（Ａ２）を示す。
屏風式建具１０は６枚のパネル２を着脱式紙丁番装置３で連結し、右端に位置するパネル２の右端部に取り付けた着脱式紙丁番装置３に、免震突っ張り家具６を取り付け、屏風式建具１０’は９枚のパネル２を着脱式紙丁番装置３で連結し、左端に位置するパネル２の左端部に取り付けた着脱式紙丁番装置３に、免震突っ張り家具６’を取り付けた構成を示している。前記屏風式建具１０、１０’は各々一端固定自在折戸として開閉することができ、図１９（Ｂ）は前記屏風式建具１０を閉じた状態を示している。
一方、前記屏風式建具１０’は図１９（Ａ１）、図２０（Ａ１）で示すように、普段は前記免震突っ張り家具６’の右側に折畳んである。前記屏風式建具１０の裏側のスペースはクローゼットとして使用し、前記屏風式建具１０は該クローゼットの収納扉として使用できる。従って、前記屏風式建具１０’は普段はクローゼットに収納されている。
そして、前記免震突っ張り家具６’の前面のスペースと前記免震突っ張り家具６の前面のスペースを一時的に仕切りたい場合は、クローゼットの収納扉である前記屏風式建具１０を開いて、中の前記屏風式建具１０’を引き伸ばして、図１９（Ａ２）、図２０（Ａ２）に示したように、前記屏風式建具１０’を可動間仕切りとして好みの形に整えて、前記屏風式建具１０を再び閉じて使用する。例えば、来客用の寝室コーナーなどとして使用することができる。この場合、全体の用途の組み合わせは２種類の家具と収納扉及び可動間仕切りになる。【００９３】  以上の例のように、本発明の携行間仕切りは用途が単一のもから複合的なものまで組み合わせが可能になる。親元を離れてから生涯に何度か経験する住み替えに伴なって間仕切りを携行して使うためには、若くて単身で家具を殆んど持たない生活から、やがて家族が増えてそれに伴ない住いの床面積が広くなり、必要なクローゼットや家具も増えて、来客時の寝室コーナーや雑然としたスペースの目隠しなど一時的な間仕切りとして対応できる必要がある場合もある。そして、本発明の携行間仕切りはこれら単一的用途から複合的用途まで、転用・追加・部分交換しながら容易に対応できるため、間仕切り替えや住み替え毎にニーズに合わせた間仕切りのレイアウトがし易い。【００９４】  以上、本発明の携行間仕切りの３つの性能を挙げた。間仕切り替えや住み替えをした場合、ニーズに対応し難かったりインテリアが落着きのないものであれば、長期的な継続使用は難しい。本発明の携行間仕切りはインテリアのバランスをとりながらニーズに合わせた間仕切りのレイアウトがし易いため、長期的に継続使用し易くなる。
従って、本発明の携行間仕切りの全体的な特徴としては、学業・生業・家族構成の変化などによるライフステージの変化などで、間仕切り替えや住み替えが必要になった場合、転用・追加・部分交換が容易に可能であり、様々な居室に対して適応多能性を持つ、長期的な継続使用が可能な間仕切りであるということが言える。【００９５】  固定間仕切りは間仕切壁と建具枠を建物の躯体に先付けするため、設置や取り壊しに大きな手間が掛かり、また、間仕切り替えや住み替え先での転用はできない。そして、家具は間仕切りから独立しているため、家具と建具の連結はできない。
後付け間仕切りのうち天井高タイプは間仕切りを後付けするため、設置や取り外しは固定間仕切りに比べると簡単であり、間仕切り替えや住み替え先での転用に対応することは可能だが、特に垂直方向で天井高が異なる居室に対しては転用し難い。また、幅方向でもパネルの他に、天井レールや床レールの調整が必要になる。そして、新設の場合はパネル間の角度は受注生産すれば希望通りにできるが、転用する際は角度の調整はできないため形やレイアウトが限定的になる。また、間仕切りのシステムに家具は組み込まれていないため、家具と建具の連結はできない。
後付け間仕切りのうち鴨居高タイプは天井固定しないため、間仕切りの設置や取り外しは簡単であり、間仕切り替えや住み替え先での転用に対応することは可能だが、新設時及び転用先に於いてもレイアウト及び形が限定的になるため、ニーズに合わせることは難しい。そして、間仕切りのシステムに家具は組み込まれていないため、家具と建具の連結はできない。【００９６】  それに対して、本発明の携行間仕切りは、室内の固定方法、つまり地震対策として免震突っ張り機構を採用するため、間仕切りの設置や取り外しが簡単であり、着脱式紙丁番装置と合わせて、間仕切り替えや住み替え先で転用し易い。また、形が自在になりレイアウトも自由であり、これは新設時及び転用先に於いても同様である。そして、家具が間仕切りのシステムに組み込まれ、家具と建具の連結が可能であり、新設時及び転用先に於いても間仕切りの単一的組合せから、家具を含めた複合的組合せまで可能になる。
従って、本発明の携行間仕切りは、学業・生業・家族構成の変化などによるライフステージの変化などで、間仕切り替えや住み替えが必要になった場合、転用・追加・部分交換が容易に可能であり、様々な居室に対して適応多能性を持つ、長期的な継続使用が可能な間仕切りであるという特徴は、固定間仕切りや後付け間仕切りの天井高タイプ及び鴨居高タイプにはない、本発明の携行間仕切りに固有の特徴であると言える。【００９７】  固定間仕切りには上記のように、間仕切り替えが難しい、間取りが定式化している、個室が閉鎖的であるという問題があった。これらに対する、本発明の携行間仕切りの効果を以下に記載する。【００９８】  固定間仕切りは間仕切り替えが難しいため、間仕切り替えが必要になった場合に「４択の悪循環」が続き、住宅の快適性（アメニティ）や環境負荷に与える影響が大きい。固定間仕切りは間仕切り替えが難しいこと自体問題だが、この間仕切り替えを巡る「４択の悪循環」を断つことがより大きな課題であった。４つの選択肢と各々の問題は次の通りであった。
１．そのままで間仕切り替えはしない―多少不便でも我慢する。
２．間仕切り替えをする―既存間仕切りの撤去工事及び新設工事と廃棄物処理、並びにそれらに伴なう費用など環境負荷を含めて負担が大きい。
３．住み替える―物件探し、引越し作業、新しい環境への順応など負担が大きい。
４．住宅の寿命以前に建て替える―日本では住宅の寿命が短いため、間仕切り替えをせずに住宅の寿命以前に建て替えてしまうという風潮も根強い。既存住宅の解体工事及び新築工事と廃棄物処理、工事中の住み替えと引越し作業、並びにそれらに伴なう費用と共に、寿命以前の建て替えは実質的な住宅の低寿命化を促し、環境負荷を含めて負担は更に大きい。
しかし、本発明の携行間仕切りは間仕切り替えがし易いため、上記の４択の悪循環を断つことができる。そして、住宅を寿命以前に建て替える必要性が小さくなるため、住宅を長寿命化し易くなる。また、間仕切りが建物から独立して、長期的な継続使用が可能になるため、間仕切り替えや住宅の解体の際の廃棄物を削減する。【００９９】  固定間仕切りによるｎＬＤＫ式住宅は間取りが定式化しているため、住み替える時は「希望に近い間取り」の物件を探し、「希望の間取り」にするためには注文住宅で建てる必要がある。しかし、本発明の携行間仕切りを使用すると間仕切りの設置や間仕切り替えが容易にできるため、住宅の居室部分をフリースペースにすることができる。居室部分をフリースペースにして本発明の携行間仕切りを使用するフリースペース式住宅であれば、希望の間取りにし易い。【０１００】  固定間仕切りは遮音性が高いため、それによる個室は家族間のプライバシーを尊重するという長所がある。しかし、その一方、閉鎖的で家族が個室にこもりバラバラになりがちになるという短所も併せ持つ。それに対して、本発明の携行間仕切りは鴨居高タイプであるため遮音性が低いという短所がある。しかし、例えば、吹き抜けを介して親子の寝室を上下に分けるなどレイアウトで対処することができる。そして、本発明の携行間仕切りでは屏風式建具の一端固定自在折戸という使い方ができる。この使い方は屏風式建具の一端を免震突っ張り支柱或いは免震突っ張り家具に連結して、折り畳んだり引き伸ばすことができ、かつ、形が自在になる。そのため、各寝室の吹き抜けに面した側に屏風式建具を設置して、一端固定自在折戸として全面を開閉することができる。夜間就寝時には閉じて、日中はフルオープンにして、「家族間のプライバシーと開放性の両立」を図る使い方ができる。【０１０１】  以上、本発明の携行間仕切りの効果をまとめると、次の２つになる。「住生活の快適性（アメニティ）の向上」及び「環境負荷の軽減」である。【０１０２】  本発明の携行間仕切りは現代性と歴史性の両側面を併わせ持つ。
電話機の携帯電話は固定電話に対して「どこでも使える」という利点がある。本発明の携行間仕切りは固定間仕切りに対して、同様に「どこでも使える」という利点があり、携行間仕切りと携帯電話は「固定に対してどこでも使える」という共通性を持ち、その点で携行間仕切りは携帯電話に匹敵する現代性を持つ。
しかし、その一方、この携帯電話と共通する「固定に対してどこでも使える」という性能は、携行間仕切りの場合は、建具と家具の万能化により、様々な居室に適応できる万能性によって可能になり、この場合の万能性にはフレキシビリティという意味が包含される。そして、日本家屋のフレキシビリティの歴史は古くなる。【０１０３】  日本家屋のフレキシビリティの歴史については既に説明したので、ここでは要約を記載する。
古代日本で成立した屏風は、平安時代の貴族の邸宅である寝殿造に於いて、開放的な大空間である儀式空間の中で、日常の生活空間を仕切る上で不可欠の障屏具であった。当時、大空間と小空間の可変が屏風によって行われ、屏風によるフレキシビリティを既に手に入れていた。そして、仕切る場所が固定されてくると、屏風から襖が発展し、襖は寝殿造の中で成立した。
鎌倉時代になると公家に代わって武士が台頭する。公家の経済力は衰退し、寝殿造の規模は縮小簡略化され、武士の住宅も同じ系列であった。寝殿造では天井板は張られず、柱は丸柱であり、また、大空間であったため畳は板床の上に必要な場所に置く「置畳」であったが、中世になると天井板が普及し、広間にすることも小室に仕切ることもできる襖と共に、外回りの建具として明かり障子が発達し、柱は角柱になり、また、小室に仕切られたため畳は敷き詰めた「敷き詰め畳」になった。そして、この住宅形式はやがて座敷奥の上段の間に床の間、違い棚、付書院、帳台構えという座敷飾を設けることを特色とする「書院造」として桃山時代に完成し、長い歴史を持つ日本家屋を代表する住宅形式として定着する。
屏風の丁番は通し紐や鋲打ちした革であったものから、伝統的な紙丁番が成立するのは鎌倉時代から室町時代とされる。伝統的な紙丁番を使用した屏風は通し絵を描くことができ、表裏どちらにも折り曲げが可能で、隙間風を防ぐ効果が従来の屏風より増した。また、それらの効果を生かして、豪華絢爛な紺碧障壁画が描かれた他、茶席の風炉を囲む簡素な風炉先屏風や、貧乏長屋の破れ布団を隠す枕屏風もある。
金屏風や障壁画を描いた屏風は室町時代から幕府の贈り物として、中国や朝鮮に贈られた他、桃山時代には幕府の輸出品としてポルトガルにも渡り、ヨーロッパへ伝えられた。
一方、江戸時代の押入れのない裏長屋では、枕屏風で日中は部屋の隅に畳んだ夜具を隠し、夜は寝姿を訪問者に隠したり、隙間風を防ぐために使われ、庶民にも屏風が日常的に使われた。
このように、日本家屋のフレキシビリティは、古代日本から始まる屏風及びそれから発展した襖や障子という伝統的な障屏具によってもたらされた。従って、日本家屋のフレキシビリティの源泉は襖や障子という引違い建具の元になった屏風であった。
しかし、近代化で住宅様式が様変わりした。従来の日本家屋では難しかったプライバシーを確保するために、固定間仕切りによるｎＬＤＫ式住宅がアルミサッシと共に普及すると、人目や風を遮るための屏風は一般的には使われなくなった。それに対して、ｎＬＤＫ式住宅になっても和室は残り、襖や障子は現在も一般的に使われ、屏風とは対照的である。そのような状況の中で、屏風は量産化やめぼしい開発が行なわれず閉塞的な状況に陥り、一般の人は屏風は知っているが、ジグザグ形に置かれるというイメージがあるだけで、屏風に手を触れてパネルを回転する機会も少なく、屏風のパネルが３６０°回転することや伝統的な紙丁番を知らないという状況が生じ、伝統的な紙丁番は「埋もれた伝統技術」になっている。【０１０４】  屏風の閉塞的状況は先願の特許文献からも読み取ることができる。
特許文献３記載の発明と特許文献１、２記載の発明を対比すると、次の点で相違した。
相違点１：特許文献３では伝統的な紙丁番を溝形部材に付着して着脱可能な丁番にしている。これにより、量産化やパネルの増減及び部分交換がし易くなる。それに対して、特許文献１、２記載の発明は伝統的な紙丁番をパネルに直張りしている。
相違点２：特許文献３記載の発明では室内への固定方法として、パネルの上部に折り曲げ式可動フックを設けて、天井に設けた角パイプなどに引っ掛けて固定する方法が開示されている。それに対して、特許文献２記載の発明では室内への固定方法は開示されておらず、複数枚のパネル部材を直線的に並べて使用する場合に、安定脚である自立補助具を使用する方法が開示されているだけであり、特許文献１記載の発明でも室内への固定方法は開示されていない。
相違点３：特許文献３記載の発明では移動を楽にするための手段として、パネルの下部にコロを設けている。それに対して、特許文献１、２記載の発明は移動を楽にするための手段は開示されていない。【０１０５】  次に、本発明と特許文献３記載の発明を対比すると、次の点で異なる。
相違点１：本発明では、羽根だけで構成される現代の紙丁番を、一対の溝形部材に付着して着脱式紙丁番装置を形成している。くるみがけが省略される分、材料及び手間が省けるためコストを下げ易くなり、パネルの枚数は使い易くなる。それに対して、特許文献３記載の発明では、羽根とくるみがけで構成される伝統的な紙丁番を、一対の溝形部材に付着して着脱可能な丁番を形成している。
相違点２：本発明では、室内への固定方法として免震突っ張り機構を採用している。前記免震突っ張り機構を装着した、免震突っ張り支柱又は免震突っ張り家具に屏風式建具を連結することにより、屏風式建具を室内に固定する。そのため、設置がノンビス式になるため容易であり、ビス使用の規制がある賃貸物件でも設置し易い。また、前記免震突っ張り機構はアジャスターの機能により高さ調整が可能になるため、天井高が異なる居室での設置がし易くなる。
それに対して、特許文献３記載の発明では、室内への固定方法として、パネルの上部に設けた折り曲げ式可動フックを、天井に設けた角パイプに引っ掛けて室内に固定する方法が開示されている。この方法で屏風式製品の形を自在に変化させて使うためには、天井全体にある程度の間隔で角パイプを張り巡らせる必要があり、そうなると、その分の施工が必要になりコストも高くなる。また、天井にそのような角パイプを設けた居室でしか固定できない。そして、天井高が異なる居室での間仕切り替えや住み替えには対応し難い。
相違点３：本発明では、屏風式建具は一端固定自在折戸と両端固定自在間仕切りパネルの２つの使用法がある。一端固定自在折戸は室内扉、収納扉、可動間仕切りの用途に使用することができ、かつ、それらの形が自在になる。両端固定自在間仕切りパネルは間仕切りパネルとして使用することができ、かつ、その形が自在になる。従って、屏風式建具は１種類で戸と間仕切りパネルに対応し、形が自在になりながら室内扉、収納扉、可動間仕切り、間仕切りパネルの４つの用途に対応が可能になり、建具の万能化を図ることができる。
それに対して、特許文献３記載の発明では、一端固定自在折戸の使い方をする場合、屏風式製品の端に位置するパネルの上部一点を、折り曲げ式可動フックで天井の角パイプに固定して、屏風式製品全体を動かすことになるため、動きが不安定になり、一端固定自在折戸の使用は適さない。そうなると、建具の万能化は成立しない。
相違点４：本発明では、屏風式建具と免震突っ張り支柱及び免震突っ張り家具を基本的３アイテムとして、前記基本的３アイテムを組み合せることで、建具と家具の万能化を図る。それにより、転用性が高い、建具と家具の連結が可能になる、単一的用途から複合的用途まで組み合わせが可能であるという３つの性能が得られ、学業・生業・家族構成の変化などによるライフステージの変化などで、間仕切り替えや住み替えが必要になった場合、転用・追加・部分交換が容易に可能であり、様々な居室に対して適応多能性を持つ、長期的な継続使用が可能な間仕切りであるという全体的特徴を持つ。
それに対して、特許文献３記載の発明では、上記のように、建具の万能化は成立せず、また、家具との関係も開示されておらず、建具と家具の万能化は成立しない。【０１０６】  特許文献１〜３の各々の出願年度は、特許文献１が１９８７年、特許文献２が２００９年、特許文献３が２００４年である。
特許文献３記載の発明は、屏風を量産化し、間仕切りの形を自在に変化させ、設置や間仕切り替え及び移動が容易にできることを目的としている。伝統的な紙丁番を使用した従来の屏風では行なわれなかった、屏風の量産化に対する発明及び伝統的な紙丁番でパネルを連ねると形が自在になるという屏風の特性を生かした発明は、特許文献３による２００４年の出願までなかった。これらの先願は上記の屏風の閉塞的状況を裏付けるものである。【０１０７】  以上、日本家屋のフレキシビリティは古代日本から始まる屏風及びそれから発展した襖や障子という障屏具によってもたらされ、屏風は近代化により閉塞的状況に陥り、伝統的な紙丁番は「埋もれた伝統技術」になっている状況を明らかにした。
では、本発明の携行間仕切りと屏風及び襖や障子はどのような関係なのか、次にそれを明確にする。
障子は襖と同じ引違い建具であるため、対比を行うに当たっては襖に含める。従って、対比は本発明の携行間仕切り、屏風、襖に対して行なう。しかし、携行間仕切りは屏風式建具と免震突っ張り支柱及び免震突っ張り家具の基本的３アイテムから構成されている。そのため、屏風、襖と対比する上では、携行間仕切りのうち屏風式建具とこれらの対比を行い、免震突っ張り支柱及び免震突っ張り家具については、屏風式建具との関係性で明らかにする方が明快になるため、対比は屏風式建具、屏風、襖の対して行なう。この場合の「屏風」は伝統的な紙丁番をパネルに直張りした屏風を指す。【０１０８】  ［室内の固定、形、長さ、位置］について
「室内の固定」については、屏風式建具は免震突っ張り支柱に連結して室内に固定できる。それに対して、屏風は室内に固定できない。そして、襖は鴨居と敷居により室内に固定できる。
「形」については、屏風式建具は免震突っ張り支柱に連結することで、一端固定自在折戸と両端固定自在間仕切りパネルの２通りの使い方が可能になり、形は自在になる。それに対して、屏風は伝統的な紙丁番で連結されているため本来は形が自在になるが、室内に固定できないため、倒れ難い形としてジグザグ形に置かれるのが基本である。そして、襖は基本的に直線で使用される。
「長さ」については、屏風式建具は着脱式紙丁番装置で連結されているため、パネルの増減が容易にできる。それに対して、屏風は、伝統的な紙丁番をパネルに直張りしているためパネルの増減は難しい。そして、襖は鴨居と敷居により長さが限定される。
「位置」については、屏風式建具は自由に移動できる。それと同様に、屏風も自由に移動できる。それに対して、襖は鴨居と敷居により限定される。
以上のように、室内の固定、形、長さ、位置について、屏風式建具は屏風や襖と比べてよりフレキシブルである。【０１０９】  ［家具との連結］について
屏風式建具は免震突っ張り家具と連結できる。屏風式建具は収納扉や室内扉、可動間仕切りの用途に対応できるため、屏風式建具と免震突っ張り家具を連結して、屏風式建具を前記用途として使用することができる。
免震突っ張り家具を壁面置きにして、それに屏風式建具を連結してクローゼットの収納扉として使用すると、免震突っ張り家具を埋め込み式の壁面家具にすることができ、かつ、パネルの幅の調整だけで全体の幅を部屋幅に合わせることが容易にできるため、インテリアがすっきりする。また、免震突っ張り家具を中置きにして間仕切り家具として使用し、それに屏風式建具を連結して室内扉として使用し、プライバシーを保つ利用も可能になる。そして、免震突っ張り家具に連結した屏風式建具を可動間仕切りとして使用することも可能である。普段は免震突っ張り家具の脇に可動間仕切りを折畳み、必要な時に引き伸ばして好みの形にして間仕切る。このように、屏風式建具と免震突っ張り家具の連結が可能になると、インテリア性が優れると共に、レイアウトの応用性が広がりニーズに対応し易くなる。
それに対して、屏風と襖は家具と連結できない。
以上のように、家具との連結について、屏風式建具は屏風や襖と比べて、より一層フレキシブルである。【０１１０】  ［転用］について
屏風式建具は以下により、室内に固定が可能で、かつ、転用し易い。
・着脱式紙丁番装置によりジョイナーは１種類で済み、パネルとパネル、パネルと免震突っ張り支柱、パネルと免震突っ張り家具との連結及び取り外しが容易にできるため、転用し易い他、追加や部分交換もし易くなるため、様々な間仕切りを再構成できる。
・着脱式紙丁番装置に３６０°回転する現代の紙丁番を付着しているため、形が自在になる。
・免震突っ張り支柱又は免震突っ張り家具と連結することにより、一端固定自在折戸と両端固定自在間仕切りパネルの２つの使用法があり、屏風式建具１種類で形が自在になり、かつ、室内扉、収納扉、可動間仕切り、間仕切りパネルの４つの用途に対応が可能で、建具として万能化する。
・免震突っ張り機構を装着した免震突っ張り支柱及び免震突っ張り家具と連結することにより、室内に固定されるが、免震突っ張り機構は、アジャスターにより高さ調整が可能になるため、天井高が異なる居室へ対応し易く、レイアウトの際、位置が自由になり、ノンビス式で固定が可能になるため、設置及び取り外しが簡単で、ビス使用が難しい賃貸物件でも設置し易い。
それに対して、屏風は、室内に固定できず、かつ、伝統的な紙丁番をパネルに直張りしているため転用し難い。また、転用したとしても、パネルの枚数はそのままか、或いは、増減をしてパネルの仕上げを替える程度である。
そして、襖は、室内に固定が可能であるが、転用し難い。襖のパネルは鴨居と敷居間の高さ及び鴨居と敷居の長さである現場寸法に合わせて製作されるため、パネルの高さと幅が規制される。襖を転用するには転用先の鴨居や敷居に合わせてパネルの高さ及び幅の調整が必要になる。
以上のように、転用について、屏風式建具は屏風や襖と比べて、より一層更にフレキシブルになる。【０１１１】  このように、屏風式建具は免震突っ張り支柱及び免震突っ張り家具と組み合せることで、屏風や襖に対して、より一層更にフレキシブルになる。そして、屏風式建具と免震突っ張り支柱及び免震突っ張り家具を合わせたものが携行間仕切りであるため、本発明の携行間仕切りは、屏風や襖と比べてより一層更にフレキシブルであるということになり、本発明の携行間仕切りは、屏風や襖という日本の伝統的な障屏具が持つフレキシビリティという特性をより一層更に発展させた形式であると言える。【０１１２】  本発明の携行間仕切りは、
古代日本から始まる屏風及びそれから発展した襖や障子という日本の伝統的な障屏具が持つ、フレキシビリティという特性をより一層更に発展させて、
建具と家具の万能化を図り、
フレキシビリティに欠ける固定間仕切りの問題である、間仕切り替えが難しい、間取りが定式化している、個室が閉鎖的であるという問題に対して対処すると共に、
学業・生業・家族構成の変化などによるライフステージの変化などで、住み替えや間仕切り替えが必要になった場合、転用・追加・部分交換が容易に可能であり、様々な居室に対して適応多能性を持ち、長期的な継続使用が可能になり、
「住生活の快適性（アメニティ）の向上」及び「環境負荷の軽減」という２つの効果をもたらして、
今日の生活に対応し易くした間仕切りである。【０１１３】  本発明の携行間仕切りを使用すれば、間仕切りの設置や間仕切り替えを簡単に行なうことができるため、住宅の居室部分をフリースペースにしたフリースペース式住宅にすることができる。
従って、携行間仕切りを使用するフリースペース式住宅は、日本家屋のフレキシビリティをより一層更に発展させた住宅形式であり、フレキシビリティに欠ける固定間仕切りによるｎＬＤＫ式住宅の上記の問題に対して対処すると共に、「住生活の快適性（アメニティ）の向上」及び「環境負荷の軽減」という２つの効果をもたらす。【０１１４】  固定間仕切りによるｎＬＤＫ式住宅は特に先進国を中心に普及している。日本では住宅の寿命が短く、住宅は「スクラップ  アンド  ビルド型」であるが、ヨーロッパでは寿命が長く「ストック型」である。そのため、間仕切り替えが必要になった場合、ヨーロッパでは住宅の寿命以前に建て替えるということは少ないが、間仕切り替えが難しいのは日本と同様であり、間仕切り替えが必要になった場合は建て替え以外の、間仕切り替えを巡る４つの選択肢のうち３つの選択肢である、間仕切り替えはしないで多少不便でも我慢する、或いは大きな負担を掛けて間仕切り替えをする、或いは大きな負担を掛けて住み替える、という「３択の悪循環」は続き、間仕切り替えを巡る３択の悪循環という固定間仕切りの課題がある。【０１１５】  携行間仕切りを使用するフリースペース式住宅が効果を発揮する地域は国内外の広域に渡る。近代化により屏風の進歩的な開発が行なわれず、そして、ｎＬＤＫ式住宅が普及している日本国内の他、住宅に於けるフレキシビリティの伝統を持たず、そして、ｎＬＤＫ式住宅が普及している欧米などの国々や地域、更に、これからの発展に向けて「住生活の快適性（アメニティ）の向上」と「環境負荷の軽減」の両立を目指そうとする国々や地域である。
そのため、本発明の携行間仕切りは汎用性の効果が大きい。【０１１６】  本発明の携行間仕切りは、近代化により一般的に使用されずに閉塞的状況に陥っている、伝統文化である屏風を発展させるという歴史的価値、及び、現在、世界の広域に普及する近代化様式の住宅の問題に対処して、今日の生活に対応し易い間仕切りとするという新規性の２つの価値を併せ持つ。【０１１７】  従って、本発明の携行間仕切りは上記の歴史的価値及び新規性により、日本の伝統文化の発展及び世界の文化の発展の双方に効果をもたらす。【０１１８】  屏風の開発としては、平安時代に屏風から襖が成立し、鎌倉時代から室町時代に伝統的な紙丁番が成立したとされるが、本発明の携行間仕切りはそれ以来の進歩的発明になる。
【図面の簡単な説明】
【０１１９】
【図１】（Ａ）〜（Ｃ）は伝統的な紙丁番の羽根の構造と作用を示した説明図である。
【図２】伝統的な紙丁番のくるみがけの施し方を示した説明図である。
【図３】（Ａ）〜（Ｄ）は着脱式紙丁番装置の構造と作用を示した説明図である。
【図４】（Ａ）、（Ｂ）は本発明の携行間仕切りの実施例１を示した平面図と斜視図である。
【図５】（Ａ）、（Ｂ）は本発明の携行間仕切りの実施例２を示した平面図と斜視図である。
【図６】（Ａ１）〜（Ｂ２）は本発明の携行間仕切りの実施例３を示した平面図と斜視図である。
【図７】（Ａ）〜（Ｃ）は実施例１を拡大して示した平面図と正面図及び斜視図である。
【図８】図  （Ｂ）を拡大して示した正面図である。
【図９】（Ａ）、（Ｂ）は屏風式建具の分解斜視図である。
【図１０】屏風式建具のパネル部分を拡大して示した分解図である。
【図１１】図１０で示したパ−ツをパネルに取り付けた説明図である。
【図１２】（Ａ）、（Ｂ）は手掛けの断面図である。
【図１３】（Ａ）は、屏風式建具を構成するパネルのうち、一端に位置するパネルと免震突っ張り支柱とを連結させる関係を示した分解斜視図ある。（Ｂ）は着脱式紙丁番装置とフック受け部及び免震突っ張り支柱の取り合いを示した説明図である。
【図１４】（Ａ）、（Ｂ）は免震突っ張り機構の構成を示した縦断面図である。
【図１５】（Ａ）〜（Ｃ）は免震突っ張り支柱の構成と作用を示した説明図である。（Ｄ）は図  のＹ−Ｙ線矢視断面図である。
【図１６】（Ａ）〜（Ｃ）は実施例２を拡大して示した平面図と正面図及び斜視図である。（Ｄ）は図のＹ部を拡大した横断面図である。
【図１７】屏風式建具を構成するパネルのうち一端に位置するパネルと免震突っ張り家具とを連結させる関係を示した分解斜視図ある。
【図１８】（Ａ）、（Ｂ）は免震突っ張り家具の構成と作用を示した説明図である。
【図１９】（Ａ１）〜（Ｂ）は実施例３を拡大して示した平面図と正面図である。
【図２０】（Ａ１）、（Ａ２）は実施例３の可動間仕切りの使い方を示した斜視図である。
【図２１】本発明の携行間仕切りを３階建て戸建て住宅のフリースペース式住宅に於いて、室内空間に適用した一例を示す説明図である。
【図２２】本発明の携行間仕切りを３階建て戸建て住宅のフリースペース式住宅に於いて、室内空間に適用した一例を示す説明図である。
【図２３】本発明の携行間仕切りをフラットタイプの集合住宅のフリースペース式住宅に於いて、室内空間に適用した一例を示す説明図である。
【発明を実施するための形態】
【０１２０】  本発明の携行間仕切り１は、屏風式建具１０と免震突っ張り支柱５及び免震突っ張り家具６とで構成される基本的３アイテムを、様々に組み合わせる又は組み替えることにより多様な間仕切りを形成することを特徴とする。
並列する複数枚のパネル２と、
隣接するパネル間を連結する着脱式紙丁番装置３とを備え、
前記着脱式紙丁番装置３は一対の溝形部材３１、３１’と、屏風に用いられる伝統的な紙丁番の羽根と同一の構成で、強度が和紙より強く柔軟性がある素材から形成された、現代の紙丁番３０とを備え、
前記各溝形部材３１の溝部は、前記各パネルの縦端部を嵌め合わせて着脱可能に連結する、ウェブ３１ａと、ウェブ３１ａの両側に設けられた１対のフランジ３１ｂ、フランジ３１ｂとを有し、
前記現代の紙丁番３０は前記一対の溝形部材３１、３１’に交互に接着され、隣り合うパネル間で一方のパネルに対して、他方のパネルを３６０度回転できるように前記一対の溝形部材３１、３１’を連結し、
前記着脱式紙丁番装置３により複数枚のパネル２を一連に連結した、屏風式建具１０が構成されており、
前記屏風式建具１０を構成する複数枚のパネル２のうち、一端又は両端に位置するパネルと、免震突っ張り支柱５又は免震突っ張り家具６とが、
前記着脱式紙丁番装置３により連結されていることを特徴とする、携行間仕切り１である。
【０１２１】  最初に、着脱式紙丁番装置３について説明する。図３（Ａ）〜（Ｄ）は同大、同形の一対の溝形部材３１，３１’間に、現代の紙丁番を接着した着脱式紙丁番装置３の構成及び作用を示す。図３（Ａ）は前記一対の前記溝形部材３１，３１’を示し、前記一対の溝形部材３１，３１’の溝内に丸棒で成るフック部３２が、両端を各前記溝形部材３１，３１’の左右のフランジ３１ｂ（３１’ｂ）、３１ｂ（３１’ｂ）に固定され、高さ方向に一定の間隔をあけて複数設けられている。
前記溝形部材３１，３１’の各ウェブ３１ａ，３１’ａを付き合わせた場合に、前面になる方を表側、後面になる方を裏側とする。現代の紙丁番３０は伝統的な紙丁番の羽根と同一の構成であり、図３（Ｂ）では紙片３０ａ〜３０ｄの４枚で構成されている。各前記紙片３０ａ〜３０ｄは、図の破線で示す位置で３節に折られる。３節のうち中央部分の横幅の寸法は、前記溝形部材３１，３１’の前記ウェブ３１ａ，３１’ａの外側の幅と同一の寸法になる。図３（Ｂ）に示すように、紙片３０ａ、３０ｃは各紙片の３節のうち右端部の裏面を前記溝形部材３１’の表側フランジ３１’ｂに接着する。紙片３０ｂ、３０ｄは各紙片の３節のうち左端部の裏面を前記溝形部材３１の表側フランジ３１ｂに接着する。
次に、図３（Ｃ）に示すように、紙片３０ａ、３０ｃは各紙片の３節のうち左端部の表面を前記溝形部材３１の裏側フランジ３１ｂに接着する。紙片３０ｂ、３０ｄは各紙片の３節のうち右端部の表面を前記溝形部材３１’の裏側フランジ３１’ｂに接着する。そうすると、各紙片３０ａ〜３０ｄは交互に前記溝形部材３１、３１’に接着される。そして、各紙片の３節のうち中央部分、つまり、３０ａ’、３０ｂ’、３０ｃ’、３０ｄ’の横幅の寸法は、前記ウェブ３１ａ，３１’ａの外側の幅と同一であり、これらの部分は前記ウェブ３１ａ，３１’ａの外側には接着されずに、前記ウェブ３１ａ，３１’ａの外側から遊離している。
図３（Ｄ）は、図３（Ｃ）の前記着脱式紙丁番装置３が前記溝形部材３１に対して、前記溝形部材３１’が回転角０°から３６０°まで回転する様子を示した斜視図である。このようにして、前記着脱式紙丁番装置３では一方の溝形部材に対して、他方の溝形部材を３６０°回転する。
【０１２２】  以下に、本発明の携行間仕切り１を、図示した実施例に基づいて説明する。
図４，５、６は各々、実施例１、２、３を示す。
図４（Ａ）、（Ｂ）は実施例１の平面図と斜視図であり、屏風式建具１０、１０’の各々の一端のパネルを免震突っ張り支柱５、５’に連結している。
図５（Ａ）、（Ｂ）は実施例２の平面図と斜視図であり、屏風式建具１０、１０’の各々の一端のパネルを免震突っ張り支柱５及び免震突っ張り家具６に連結している。
図６（Ａ１）〜（Ｂ２）は実施例２の平面図と斜視図であり、屏風式建具１０、１０’の各々の一端のパネルを、免震突っ張り家具６、６’に連結している。
以下、これらの実施例１、２、３を具体的に説明する。
【実施例１】
【０１２３】  図７（Ａ）、（Ｂ）、（Ｃ）は各々、実施例１の平面図、正面図、斜視図である。屏風式建具１０、１０’は各々、３枚のパネル２を連結し、同一面上に設置されている。屏風式建具１０の右端のパネル２が免震突っ張り支柱５に連結され、もう一方の屏風式建具１０’の左端のパネル２が免震突っ張り支柱５’に連結された構成を示している。前記屏風式建具１０、１０’は各々一端固定自在折戸として開閉することができ、図７（Ｂ）は各々を閉じている状態を示している。【０１２４】  図７（Ｂ）を拡大した図が図８である。各パネル２は最初に上枠材２１、下枠材２２、手掛け２３を取り付けて、その後に隣り合うパネル２、２間を着脱式紙丁番装置３で連結する。
図９（Ａ）はパネル２に上枠材２１、下枠材２２、手掛け２３を取り付ける説明図である。パネル２の上下左右の端部には各々、前記上枠材２１、下枠材２２、着脱式紙丁番装置３のフック部３２を掛け留めるためのフック受け部２ａとして、鉤状の切り欠きが複数個形成されている。パネル２にはポリカーボネートやダンボールなどを使用すると打ち抜き加工がし易い。
図９（Ｂ）は前記上枠材２１、下枠材２２、手掛け２３を取り付けた前記パネル２、２間を、前記着脱式紙丁番装置３で連結して屏風式建具１０を構成する説明図である。前記着脱式紙丁番装置３の溝形部材３１，３１’の各フック部３２を、前記着脱式紙丁番装置３の左右にある前記パネル２，２の各々の端部にあって、各前記フック部３２に対応する位置にある各フック受け部２ａに掛け留める。【０１２５】  図１０は屏風式建具１０の構成を示す拡大図である。  図１０の上枠材２１はパネル２の上端部に取り付けられる。前記上枠材２１は、下向きコ字形状の溝形部材で構成されており、前記溝形部材の溝内に、丸棒で成るフック部３２が両端を前記溝形部材の左右のフランジに固定され、水平方向に一定の間隔をあけて複数設けられている。前記パネル２の上端部には、前記上枠材２１のフック部３２に対応する位置にフック受け部２ａが設けられており、前記上枠材２１の前記フック部３２を前記パネル２の前記フック受け部２ａへ掛け留めて前記パネル２と前記上枠材２１とが結合される。【０１２６】  図１０に示すように、上記パネル２の下端部には、キャスター付きの下枠材２２が取り付けられ、屏風式建具１０の移動をし易くする構成とされている。
具体的には、前記下枠材２２は、上向きコ字形状の溝形部材で構成されており、前記溝形部材の溝内に、丸棒で成るフック部３２が、両端を前記溝形部材の左右のフランジに固定され、水平方向に一定の間隔をあけて複数設けられている。前記パネル２の下端部には、前記下枠材２２のフック部３２に対応する位置にフック受け部２ａが設けられており、前記下枠材２２の前記フック部３２を前記パネル２の前記フック受け部２ａへ掛け留めて前記パネル２と前記下枠材２２とが結合される。
前記下枠材２２のウェブ２２ａは、下面に複数のねじ孔２２１が設けられている。前記ねじ孔２２１へ、キャスター２２０のねじ部をねじ込んで、前記キャスター２２０が前記下枠材２２へ取り付けられる。
因みに、前記キャスター２２０には移動を制限するロック機構が設けられており、前記屏風構造１０を所定の位置に移動させた後に、前記キャスター２２０の動きをロックすることで、屏風式建具１０が不用意に動いたりしない構成とされている。【０１２７】  パネル２の左端部にはＵ字形状の切り欠き孔を形成し、該Ｕ字形切り欠き孔へ半円形状の手掛け２３を嵌め込んで、屏風式建具１０の開閉や形を整え易いようにした構成とされている。前記手掛け２３は、一例を図１２（Ａ）、（Ｂ）に拡大して示したように、パネル２の厚さと同じ厚さを有する中空構造を成し、中空内部にはパネル２の表面側から手を差し込む開口部２３ａと、裏面から手を差し込む開口部２３ｂとを区切る仕切り板２３ｃが設けられた構成である。【０１２８】  図１０に示したように、着脱式紙丁番装置３の溝形部材３１、３１’の溝内には、フック部３２が複数設けられている。パネル２の左右端部には、前記フック部３２に対応する位置にフック受け部２ａが高さ方向に複数設けられており、前記溝形部材３０、３１’のフック部３２をパネル２のフック受け部２ａへ掛け留めて前記パネル２と前記着脱式紙丁番装置３とが結合され、複数枚のパネルを一連に連結した屏風式建具１０が構成される。
そして、上記上枠材２１、下枠材２２、手掛け２３、着脱式紙丁番装置３をパネル２に取り付けた説明図が図１１である。【０１２９】  図７（Ｂ）に示したように、屏風式建具１０のパネル２、２’間は着脱式紙丁番装置３で連結される。そして、図３（Ｄ）に示したように、前記着脱式紙丁番装置３は現代の紙丁番３０が付着されているため、前記溝形部材３０、３１’間に隙間や出っ張りを作らずに、一方の溝形部材３１に対して他方の溝形部材３１’が３６０°回転可能になる。そのため、前記着脱式紙丁番装置３に連結したパネル２も、一方のパネル２に対して他方のパネル２が、パネル２、２間に隙間や出っ張りを作らずに３６０°回転可能となる。【０１３０】  図８で屏風式パネル１０の右端のパネル２は、両端部を天井７０及び床面７１間で突っ張って固定する免震突っ張り支柱５に連結されている。
図１３（Ａ）は屏風式建具１０と免震突っ張り支柱５を着脱式紙丁番装置３で連結する説明図である。前記免震突っ張り支柱５を構成する外側筒体４０の外面には、前記着脱式紙丁番装置３を構成する溝形部材３１’の左右のフランジ３１’ｂ、３１’ｂを嵌め込み可能な凹部５ａが形成されている。図１５（Ｄ）は前記免震突っ張り支柱５を構成する前記外側筒体４０の横断面図である。このように、前記凹部５ａが４方向に形成されている。そして、図１３（Ａ）に示した前記凹部５ａ内において前記着脱式紙丁番装置３の前記溝形部材３１’に設けられたフック部３２に対応する位置に、フック受け部材２４が高さ方向に複数設けられている。前記溝形部材３１’の前期フック部３２を免震突っ張り支柱５の前記フック受け部材２４へ掛け留めて前記免震突っ張り支柱５が前記着脱式紙丁番装置３に取り付けられ、前記屏風式建具１０が構成される。
因みに、前記フック受け部材２４は、前記免震突っ張り支柱５の前記凹部５ａ内に設けられたフック受け用孔５ｂへ、前記フック受け部材２４の係止部２４ａを差し込んで取り付けられている。図１３（Ｂ）は前記フック受け部２４の前記係止部２４ａを前記フック受け用孔５ｂへ差し込み、前記着脱式紙丁番装置３の前記溝形部材３１’の前記フック部３２を前記フック受け部材２４に掛け留めた時の縦断面図である。【０１３１】  免震突っ張り支柱５は免震突っ張り機構４を装着しており、
前記免震突っ張り機構４は免震突っ張り機構上部構造４ａと免震突っ張り機構下部構造４ｂから構成される。
図１４（Ａ）は前記免震突っ張り機構４の説明図である。
前記免震突っ張り機構上部構造４ａは、中空構造の外側筒体４０と、上下方向へのスライドが可能な中空構造の内側筒体４１と、前記内側筒体４１の上端部に設けられた免震部材とで構成され、
前記免震突っ張り機構上部構造４ａは、前記内側筒体４１の上端部に設けられたボール支承４２と前記内側筒体４１の内端部に設けられ、同内側筒体４１の上端部に設けたボール支承４２の底面へ当接するばね材４３と、前記ばね材４３へ突き当たる軸部材４４、及び前記軸部材４４の中間の外周面を囲んで前記軸部材４４を上下にスライドさせて前記軸部材４４の長さ調整を行なうアジャスター４４ａと、前記ボール支承４２のボール材４２ａを保持するホルダー４５とで構成され、
地震などの揺れに対して、水平方向へ変位し易くして揺れの吸収を行ないながら突っ張る。
免震突っ張り機構下部構造４ｂは、下端部に設けられた免震部材から構成され、
前記免震突っ張り機構下部構造４ｂは、ボール支承４６と前記ボール支承４６のボール材４６ａを保持するホルダー４７とで構成される。
因みに、前記免震突っ張り機構下部構造４ｂの免震部材としてはとしては、この他に、ばね付きキャスター、積層ゴム付きキャスター、ばね支承、積層ゴム支承、転がり支承、滑り支承などのいずれかを取り付けて構成され、
地震などの揺れに対して、上部の本体を水平方向へ変位し易くして揺れの吸収の効果を高める。
図１４（Ｂ）に示すように、前記上下の各ホルダー４５，４７は各ボール材４２ａ、４６ａから遊離している。そして、各ホルダー４５，４７の内部は若干深めに形成した頂部を持つ、きのこ状の凹面を形成する。【０１３２】  免震突っ張り機構上部構造４ａの長さ調整は、内側筒体４１を上下方向へスライドさせることで行なわれる。
外側筒体４０の筒部に挿入された軸部材４４の中間の外周面には、アジャスター４４ａが取り付けられている。例えば、前記外側筒体４０の中間部に設けられた調節口４０ａに電気ドリルなどの工具を差し込んで、前記調節口４０ａの内側先端にあるギア部を回転させることで、前記軸部材４４の外周にある前記アジャスター４４ａのギア部に連動する。工具による回転及び逆回転、停止により前記軸部材４４の長さ調整と固定を行なう。【０１３３】  図１５（Ａ）、（Ｂ）、（Ｃ）は免震突っ張り支柱５の構成及び作用を示した図である。
前記免震突っ張り支柱５は、前記免震突っ張り機構上部構造４ａと前記免震突っ張り機構下部構造４ｂとで構成されており、
前記免震突っ張り機構上部構造４ａは、中空構造の外側筒体４０と、上下方向へのスライドが可能に挿入された中空構造の内側筒体４１と、前記内側筒体４１の上端部に設けられた免震部材とで構成され、
前記免震突っ張り機構上部構造４ａは、前記内側筒体４１の上端部に設けられたボール支承４２と、前記内側筒体４１の内端部に設けられ、同内側筒体４１の上端部に設けたボール支承４２の底面へ当接するばね材４３と、前記ばね材４３へ突き当たる軸部材４４、及び前記軸部材４４の中間の外周面を囲んで前記軸部材４４を上下にスライドさせて前記軸部材４４の固定及び解除を行なうアジャスター４４ａと、前記ボール支承４２のボール材４２ａを保持するホルダー４５とで構成され、
前記免震突っ張り機構下部構造４ｂは、下端部に設けられた免震部材から構成され、
前記免震突っ張り機構下部構造４ｂは、ボール支承４６と前記ボール支承４６のボール材４６ａを保持するホルダー４７とで構成される。【０１３４】  免震突っ張り支柱５の長さ調整は、上記の免震突っ張り機構上部構造４ａの長さ調整と同様である。前記免震突っ張り支柱５は天井と床の間で突っ張らないと自立しないため、アジャスター４４ａ及び調節口４０ａの位置は人が立って操作できる位置が望ましい。
前記免震突っ張り支柱５の上下のボール支承４２、４６のボール材４２ａ、４６ａは、通常、軸部材４４によって押し上げられたばね材４３により、ホルダー４５、４７内の頂部に押圧されている。そのため、上記免震突っ張り支柱５は、天井７０及び床面７１に突っ張って固定されている。
地震時等の揺れが発生した場合には、図１５（Ｂ）、（Ｃ）に示すように、揺れに応じて前記ボール支承４２、４６の前記ボール材４２ａ、４６ａが前記ホルダー４５、４７の凹面内を自由に動くことができるため、突っ張りながら水平方向に変位して、揺れを吸収することができる。前記ボール支承４２、４６の前記ボール材４２ａ、４６ａは、前記ばね材４３の効果により、前記ホルダー４５、４７内の頂部へ戻ろうとして、前記免震突っ張り支柱５の姿勢を常に垂直に復元するように働く。このように、復元力特性によりエネルギー吸収が行われる。
従って、本発明の携行間仕切り１は、地震等による建物の揺れに対して、地震力を抑制しながら屏風式建具１０、１０’の転倒を防止することが可能になる。【０１３５】  ホルダー４５の外形は円柱を成し、その外径は外側筒体４０の外径と略同じか若干小径に形成されている。前記ホルダー４５の外形を形成する、円柱の外径と高さの比は揺れに対して転け難い値で形成されている。また、前記ホルダー４５の凹面の間口はボール材４２ａの直径より小さく、かつ、前記ボール材４２ａの直径と凹面の形状の関係は、揺れに対してボールが凹面に沿って動き、頂点に向かって戻ろうとしながら揺れを吸収できるものである。【０１３６】  ホルダー４５、４７が無ければ、免震突っ張り支柱５は容易く転倒する。前記ホルダー４５、４７は揺れに対して、免震突っ張り支柱５を水平方向に変位させながら前記免震突っ張り支柱５を垂直に保ち、転倒を防ぐ機能がある。【０１３７】  免震突っ張り支柱５は免震突っ張り機構４により揺れを吸収するため、地震力を低減できる。そのため、柱頭が小さくて済み、また、ホルダー４５の外形は円柱であるため方向性がない。意匠的にすっきりし、設置の際も方向を気にせずに設置できるため設置がし易い他、部屋の隅でも設置できる。【０１３８】  図８に示したように、屏風式建具１０の右端に位置するパネル２の右端部は、着脱式紙丁番装置３により免震突っ張り支柱５に連結されているが、同屏風式建具１０の左端に位置するパネル２の左端部は何も連結されない。このように、前記屏風式建具１０の端部に位置するパネルで何も連結されない場合は、現代の紙丁番３０は付着せずに、一本の溝形部材３１のフック部３２をパネル２のフック部２ａに掛けとめて縦枠として使用する。そのため、屏風式建具１０’の右端に位置するパネル２の右端部も同様に、一本の溝形部材３１を縦枠として使用する。【０１３９】  実施例１の携行間仕切り１は、クローゼットの収納扉或いは室内扉として使用することができる。【０１４０】  尚、上記構成の免震突っ張り支柱５は、屏風式建具１０へ取り付けることなく、それ自体で使用することが可能である。例えば、外側筒体４０や軸部材４４の長さを縮めた免震突っ張り支柱５を既成の置き家具の上面に置き、天井と置き家具の上面の間で突っ張ることで、置き家具を転倒し難くする。
【実施例２】
【０１４１】  図１６（Ａ）、（Ｂ）、（Ｃ）は各々、実施例２の平面図、正面図、斜視図である。屏風式建具１０、１０’は各々、２枚のパネル２を着脱式紙丁番装置３で連結し、同一面上に設置されている。屏風式建具１０の右端に位置するパネル２の右端部に取り付けた着脱式紙丁番装置３に、上記実施例１で説明した免震突っ張り支柱５を取り付け、もう一方の屏風式建具１０’の左端に位置するパネル２の左端部に取り付けた着脱式紙丁番装置３に、免震突っ張り家具６を取り付けた構成を示している。前記屏風式建具１０、１０’は各々一端固定自在折戸として開閉することができ、図１６（Ｂ）は各々を閉じた状態を示している。
前記免震突っ張り家具６は、免震突っ張り機構４’を装着しており、
前記免震突っ張り機構４’は、免震突っ張り機構上部構造４ａ’と免震突っ張り機構下部構造４ｂ’とで構成され、
前記免震突っ張り家具６は、前記免震突っ張り機構上部構造４ａ’と家具材６０及び前記免震突っ張り機構下部構造４ｂ’とで構成される。
実施例２の携行間仕切り１’の基本的な構成、特に屏風式建具１０、１０’及び免震突っ張り支柱５に関しては、上記実施例１で説明した携行間仕切り１と同じ構成なので、実施例１の説明を援用し、異なる構成についてのみ説明する。【０１４２】  図１７は屏風式建具１０と免震突っ張り家具６を着脱式紙丁番装置３で連結する説明図である。前記免震突っ張り家具６を構成する家具材６０の両側面における両縦縁には、前記着脱式紙丁番装置３を構成する溝形部材３１’の左右のフランジ３１’ｂ、３１’ｂを嵌め込み可能な凹部５ａ’、５ａ’がそれぞれ形成されており、該凹部５ａ’内において前記着脱式紙丁番装置３の溝形部材３１’に設けられたフック部３２に対応する位置にフック受け部材２４が高さ方向に複数設けられている。前記溝形部材３１’の前記フック部３２を前記家具材６０の前記フック受け部材２４へ掛け留めて前記着脱式紙丁番装置３が前記家具材６０に取り付けられる。
前記フック受け部材２４は、前記家具材６０の前記凹部５ａ’内に設けられたフック受け用孔５ｂ’へ係止部２４ａを差し込んだ構成であることは、上記図１３（Ｂ）に基づいて説明した免震突っ張り支柱５の構成と同じである。
尚、図１６（Ｄ）は同図（Ａ）のＹ部の横断面を拡大した図であり、前記凹部５ａ’を示す。前記家具材６０には前記凹部５ａ’が都合４ヶ所設けられている。【０１４３】  図１８（Ａ）、（Ｂ）は免震突っ張り家具６の構成及び作用を示した図である。
前記免震突っ張り家具６は、免震突っ張り機構上部構造４ａ’と家具材６０及び免震突っ張り機構下部構造４ｂ’とで構成されており、
前記免震突っ張り機構上部構造４ａ’は、前記家具材６０の上面に設けられ、中空構造の外側筒体４０と、上下方向へのスライドが可能な中空構造の内側筒体４１と、前記内側筒体４１の上端部に設けられた免震部材から構成され、
前記免震突っ張り機構上部構造４ａ’は、前記外側筒体４０の下端部を前記家具材６０の上面に固定することで、前記免震突っ張り機構上部構造４ａ’は前記家具材６０の上面に固定され、
前記免震突っ張り機構上部構造４ａ’は、前記内側筒体４１の上端部に設けられたボール支承４２と、前記内側筒体４１の内端部に設けられ、同内側筒体４１の上端部に設けたボール支承４２の底面へ当接するばね材４３と、前記ばね材４３へ突き当たる軸部材４４、及び前記軸部材４４の中間の外周面を囲んで前記軸部材４４を上下にスライドさせて軸部材の長さ調整を行なうアジャスター４４ａと、前記ボール支承４２のボール材４２ａを保持するホルダー４５とで構成され、
前記免震突っ張り機構下部構造４ｂ’は、前記家具材６０の下面に設けられた免震部材から構成されており、
前記免震突っ張り機構下部構造４ｂ’は、ばね付きキャスター４８が好適に実施されるが、例えば、積層ゴム付きキャスター、ばね支承、積層ゴム支承、転がり支承、滑り支承などのいずれかを取り付けても実施できる。【０１４４】  免震突っ張り機構上部構造４ａ’の長さ調整は、軸部材４４上部に挿入された内側筒体４１を上下方向へスライドさせることで行なわれる。
外側側筒体４０の筒部に挿入された前記軸部材４４の中間の外周面には、アジャスター４４ａが取り付けられている。例えば、前記外側筒体４０の中間部に設けられた調節口４０ａに電気ドリルなどの工具を差し込んで、前記調節口４０ａの内側先端にあるギア部を回転させることで、前記軸部材４４の外周にある前記アジャスター４４ａのギア部に連動する。工具による回転及び逆回転、停止により前記軸部材４４の長さ調整と固定を行なう。
前記アジャスター４４ａ及び前記調節口４０ａの仕組みは、実施例１の免震突っ張り支柱５と同様である。しかし、前記免震突っ張り支柱５は天井と床の間で突っ張らないと自立しないが、免震突っ張り家具６は突っ張らなくても自立するため、前記アジャスター４４ａ及び前記調節口４０ａの位置は家具材６０の上面でも支障はない。【０１４５】  上記実施例２に係る携行間仕切り１’も、地震等により揺れが発生した場合には、図１８（Ｂ）に示したように、揺れに応じて免震突っ張り機構上部構造４ａ’を構成するボール支承４２のボール材４２ａがホルダー４５の凹面内を自由に動くことができるため、突っ張りながら水平方向に変位して、揺れを吸収することができる。前記ボール支承４２のボール材４２ａは、ばね材４３の効果により、ホルダー４５内の頂部へ戻ろうとして、前記免震突っ張り家具６の姿勢を常に垂直に復元するように働く。このようにして、復元力特性によりエネルギー吸収が行われる。従って、実施例２に係る携行間仕切り１’も、地震等の揺れに対して地震力を抑制して屏風式建具１０、１０’の転倒を防止することが可能になる。【０１４６】    前記免震突っ張り家具６では、前記免震突っ張り機構上部構造４ａ’は家具材６０の上面に２個設置されている。家具材６０を構成するパネルのうち、各前記免震突っ張り機構上部構造４ａ’を支えるパネル６１の下部に、免震突っ張り機構下部構造４ｂ’のばね付きキャスター４８を２個づつ設けているため、前記ばね付きキャスター４８は都合４個設けている。【０１４７】  図１６（Ｂ）で示した免震突っ張り家具６を壁面置きにして、前記屏風式建具１０，１０’をクローゼットの収納扉として使用することができる。前記免震突っ張り家具６の面と前記屏風式建具１０，１０’の面が略同一面上になるため、免震突っ張り家具６を埋め込み式の壁面家具にすることができ、かつ、パネルの幅の調整だけで全体の幅を部屋幅に合わせることが容易にできるため、インテリアがすっきりする。
また、前記免震突っ張り家具６を中置きにして間仕切り家具として使用し、前記屏風式建具１０，１０’を室内扉として使用して、プライバシーを保つ利用も可能になる。
このように、免震突っ張り家具と屏風式建具の連結が可能になると、インテリア性が優れると共に、レイアウトの応用性が広がりニーズに対応し易くなる。【０１４８】  尚、上記構成の免震突っ張り家具６も、上記実施例１で説明した免震突っ張り支柱５と同様、屏風式建具１０’に取り付けることなく、それ自体で使用可能であり、携行間仕切りとしての使用に限定されない。即ち、前記免震突っ張り機構４’を備えた免震突っ張り家具６として、地震等による揺れに対して地震力を抑制し、家具の転倒を防止することができる。
【実施例３】
【０１４９】    図１９（Ａ１）、（Ａ２）は実施例３の平面図を示し、同図（Ｂ）は正面図、図２０（Ａ１）、（Ａ２）は斜視図を示す。屏風式建具１０は６枚のパネル２を着脱式紙丁番装置３で連結して、右端に位置するパネル２の右端部に取り付けた着脱式紙丁番装置３に、上記実施例２で説明した免震突っ張り家具６を取り付け、もう一方の屏風式建具１０’は９枚のパネル２を着脱式紙丁番装置３で連結して、左端に位置するパネル２の左端部に取り付けた着脱式紙丁番装置３に、免震突っ張り家具６’を取り付けた構成を示している。前記屏風式建具１０、１０’は各々一端固定自在折戸として開閉することができ、図１９（Ｂ）は前記屏風式建具１０を閉じた状態を示している。
一方、前記屏風式建具１０’は図１９（Ａ１）、図２０（Ａ１）で示したように、普段は前記免震突っ張り家具６’の右側に折畳んである。前記屏風式建具１０の裏側のスペースはクローゼットとして使用し、前記屏風式建具１０は該収納扉として使用できる。従って、前記屏風式建具１０’は普段はクローゼットに収納されている。
実施例３の携行間仕切り１’’の基本的な構成、特に屏風式建具１０、１０’及び免震突っ張り家具６、６’に関しては、上記実施例１、２で説明した携行間仕切り１、１’と同じ構成なので、実施例１、２の説明を援用し、異なる構成についてのみ説明する。【０１５０】  図１９（Ａ１）に示した免震突っ張り家具６’と屏風式建具１０’が着脱式紙丁番装置３で連結されて、前記屏風式建具１０’が折畳まれた状態にある場合、前記免震突っ張り家具６’と前記屏風式建具１０’の左端に位置するパネル２を連結する着脱式紙丁番装置３で、前記着脱式紙丁番装置３を構成する一対の溝形部材３１、３１’の回転角は、前記溝形部材３１が前記免震突っ張り家具６’の凹部５ａに挿入されているため、図３（Ｄ）に示した９０°の状態にある。
一方、前記屏風式建具１０の左端に位置するパネル２の左端部には一本の溝形部材３１が縦枠として掛け留められている。
そのため、前記屏風式建具１０が図１９（Ａ１）、（Ｂ）、図２０（Ａ１）で示したように、収納扉として閉じている場合は、前記免震突っ張り家具６’と前記屏風式建具１０’を連結する前記着脱式紙丁番装置３のうち、凹部５ａに挿入されている前記溝形部材３１のウェブと、
前記屏風式建具１０の左端に位置する前記パネル２の左端部の縦枠である前記溝形部材３１のウェブは接する状態にある。
従って、前記免震突っ張り家具６’の面と前記屏風式建具１０及び前記免震突っ張り家具６の面は略同一面上にあるため、インテリアがすっきりする。【０１５１】  前記免震突っ張り家具６’の前面のスペースと前記免震突っ張り家具６の前面のスペースを一時的に仕切りたい場合は、クローゼットの収納扉である前記屏風式建具１０を開いて、クローゼット内にある前記屏風式建具１０’を引き伸ばして、図１９（Ａ２）、図２０（Ａ２）に示したように、前記屏風式建具１０’を可動間仕切りとして好みの形に整えて、前記屏風式建具１０を再び閉じて使用する。つまり、実施例３の携行間仕切り１’’では前記屏風式建具１０を収納扉、前記屏風式建具１０’を可動間仕切りとして使用する。【０１５２】  前記免震突っ張り家具６、６’は共に正面の高さと幅が約２ｍの正方形で、奥行き約３０ｃｍの収納棚であるが、正方形の内側の意匠が多少異なる。
正面の約２ｍ四方の正方形の外形はそのままにして、奥行き寸法や正方形の内側の造作を変えて、例えば、奥行き約６５ｃｍのクローゼットや机など様々な用途の免震突っ張り家具を製作することができる。それらを屏風式建具１０や免震突っ張り支柱５と組み合せることで間仕切りとしてのバリエーションは広がる。また、免震突っ張り家具の、正面の幅や高さを替えたものを製作すればバリエーションは更に広がる。【０１５３】  以上、実施例１、２、３について説明した。
次に、図２１、２２、２３に基づいて、住宅の居室をフリースペースにしたフリースペース式住宅で、本発明の携行間仕切りを使用して室内空間をレイアウトした例を説明する。
上記実施例１、２、３で説明した携行間仕切り１、１’、１’’を使用し、屏風式建具１０は免震突っ張り支柱５又は免震突っ張り家具６と連結して一端固定自在折戸として開閉でき、クローゼットの自由な形状の収納扉や可動間仕切りとして使用している。【０１５４】  図２１は３階建て戸建て住宅の各階の居室をフリースペースにしたフリースペース式住宅に於けるレイアウトの一例を示している。
１階は、リビング、キッチン及びダイニングであり、キッチンでは免震突っ張り家具６による収納棚を利用している。ディナーの際には、キッチンとダイニングとを屏風式建具１０による可動間仕切りで仕切ることができる。また、来客時には、更にダイニングとリビングとを屏風式建具１０による可動間仕切りで仕切り、リビングを客用寝室として使用することができる。
２階は、２つの免震突っ張り家具６による机を利用して２つの書斎を形成した構成を示している。
３階は、寝室として使用している。【０１５５】  図２２は上記と同じ住宅内での別のレイアウトの一例を示している。
３階には２つの免震突っ張り家具６による机を利用して、主寝室と書斎コーナーを設け、２階には２つの免震突っ張り家具６による机と同じく２つの免震突っ張り家具６によるクローゼットを利用して、子供用の寝室を２部屋設けている。主寝室と子供用寝室は各々吹き抜けに面している。日中は各々の寝室の吹き抜けに面した側は、屏風式建具１０による可動間仕切りを折畳んでクローゼット内に収納してフルオープンにする。就寝時にはクローゼット内に収納している可動間仕切りを引き伸ばして各々の寝室を閉じる。例えば、このような、家族間の開放性とプライバシーの両立を図る使い方ができる。
１階は、ワークコーナー、キッチン及びダイニングであり、ワークコーナーとキッチンでは、２つの免震突っ張り家具６による収納棚を各々利用している。ディナーの際には、キッチンとダイニング及びワークコーナーとダイニングの間を各々屏風式建具１０による可動間仕切りで仕切ることができる。また、来客時には、ワークコーナーの可動間仕切りの形状を変えて、ワークコーナーを客用寝室として使用することができる。【０１５６】  図２３はフラットタイプの集合住宅で居室をフリースペースにしたフリースペース式住宅に於ける、レイアウトの一例を示している。
２つの免震突っ張り家具６による収納棚と免震突っ張り家具６による机を利用して、ダイニング、リビング、寝室、書斎を形成している。来客時には、ダイニングとリビング及び寝室とリビングを各々屏風式建具１０による可動間仕切りで仕切り、リビングを客用寝室として使用することができる。【０１５７】  上記は３例であるが、学業、生業、家族構成の変化などによるライフステージの変化などで、住み替えや間仕切り替えが必要になった場合、本発明の携行間仕切りは、転用、追加、部分交換が容易に可能であり、その都度、ニーズに合わせた間仕切りを形成することが容易にできる。
【符号の説明】
【０１５８】１          携行間仕切り
１０        屏風式建具
２、２’    パネル
２ａ        フック受け部
２１        上枠材
２２        下枠材
２３        手掛け
２４        フック受け部材
２４ａ      係止部
３          着脱式紙丁番装置
３０        現代の紙丁番
３０’      伝統的な紙丁番
３１０      羽根
３１１      くるみがけ
３１１’    切れ目
３１        溝形部材
３２        フック部
４、４’    免震突っ張り機構
４ａ、４ａ’免震突っ張り機構上部構造
４０        外側筒体
４０ａ      アジャスター部
４０ｂ      調節口
４１        内側筒体
４２        ボール支承
４２ａ      ボール材
４３        弾性体（ばね材）
４４        軸部材
４５        ホルダー
４ｂ、４ｂ’免震突っ張り機構下部構造
４６        ボール支承
４６ａ      ボール材
４７        ホルダー
４８        ばね付きキャスター
５          免震突っ張り支柱
５ａ        凹部
５ｂ        フック受け用孔
６          免震突っ張り家具
６０        家具材
【図１】
2015200167.tif 000003
【図２】
2015200167.tif 000004
【図３】
2015200167.tif 000005
【図４】
2015200167.tif 000006
【図５】
2015200167.tif 000007
【図６】
2015200167.tif 000008
【図７】
2015200167.tif 000009
【図８】
2015200167.tif 000010
【図９】
2015200167.tif 000011
【図１０】
2015200167.tif 000012
【図１１】
2015200167.tif 000013
【図１２】
2015200167.tif 000014
【図１３】
2015200167.tif 000015
【図１４】
2015200167.tif 000016
【図１５】
2015200167.tif 000017
【図１６】
2015200167.tif 000018
【図１７】
2015200167.tif 000019
【図１８】
2015200167.tif 000020
【図１９】
2015200167.tif 000021
【図２０】
2015200167.tif 000022
【図２１】
2015200167.tif 000023
【図２２】
2015200167.tif 000024
【図２３】
2015200167.tif 000025
【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
並列する複数枚のパネルと、
隣接するパネル間を連結する着脱式紙丁番装置とを備え、
前記着脱式紙丁番装置は一対の溝形部材と、屏風に用いられる伝統的な紙丁番の羽根と同一の構成で、強度が和紙より強く柔軟性がある素材から形成された、現代の紙丁番とを備え、
前記各溝形部材の溝部は、前記各パネルの縦端部を嵌め合わせて着脱可能に連結する、ウェブと、ウェブの両側に設けられた１対のフランジとを有し、
前記現代の紙丁番は前記一対の溝形部材に交互に接着され、隣り合うパネル間で一方のパネルに対して、他方のパネルを３６０度回転できるように前記一対の溝形部材を連結し、
前記着脱式紙丁番装置により複数枚のパネルを一連に連結した、屏風式建具が構成されており、
また、免震突っ張り機構装着支柱は、免震突っ張り機構を装着しており、
前記免震突っ張り機構は、中空構造の外側筒体と、上下方向へのスライドが可能な中空構造の内側筒体と、
ボール支承と、前記ボール支承のボール材を保持するホルダーを含むことを特徴とする免震部材とを備えて、
天井と床間で突っ張ることを可能にし、室内への固定が成立する機構であり、
前記免震突っ張り機構装着支柱と、
前記屏風式建具を構成する複数枚のパネルのうち、一端又は両端に位置するパネルとが、
前記着脱式紙丁番装置により連結されていることを特徴とする、屏風式携行間仕切り。
【請求項２】
免震突っ張り機構装着支柱は、免震突っ張り機構を装着しており、
前記免震突っ張り機構は、免震突っ張り機構上部構造と免震突っ張り機構下部構造とで構成され、
前記免震突っ張り機構装着支柱は、前記免震突っ張り機構上部構造と前記免震突っ張り機構下部構造とで構成されており、
前記免震突っ張り機構上部構造は、中空構造の外側筒体と、上下方向へのスライドが可能な中空構造の内側筒体と、前記内側筒体の上端部に設けられた免震部材から構成され、
前記免震突っ張り機構下部構造は、前記外側筒体の下端部に設けられた免震部材から構成されており、
前記免震突っ張り機構上部構造は、前記内側筒体の上端部に設けられたボール支承と、前記内側筒体の内端部に設けられ、同内側筒体の上端部に設けたボール支承へ当接する弾性体と、前記弾性体へ突き当たる軸部材と、前記ボール支承のボール材を保持するホルダーとで構成され、
前記免震突っ張り機構下部構造は、ボール支承と、前記ボール支承のボール材を保持するホルダーとで構成されていることを特徴とする、請求項１に記載した屏風式携行間仕切り。
【請求項３】
並列する複数枚のパネルと、
隣接するパネル間を連結する着脱式紙丁番装置とを備え、
前記着脱式紙丁番装置は一対の溝形部材と、屏風に用いられる伝統的な紙丁番の羽根と同一の構成で、強度が和紙より強く柔軟性がある素材から形成された、現代の紙丁番とを備え、
前記各溝形部材の溝部は、前記各パネルの縦端部を嵌め合わせて着脱可能に連結する、ウェブと、ウェブの両側に設けられた一対のフランジとを有し、
前記現代の紙丁番は前記一対の溝形部材に交互に接着され、隣り合うパネル間で一方のパネルに対して、他方のパネルを３６０度回転できるように前記一対の溝形部材を連結し、
前記着脱式紙丁番装置により複数枚のパネルを一連に連結した、屏風式建具が構成されており、
また、免震突っ張り機構装着家具は、免震突っ張り機構を装着しており、
前記免震突っ張り機構は、中空構造の外側筒体と、上下方向へのスライドが可能な中空構造の内側筒体と、
ボール支承と、前記ボール支承のボール材を保持するホルダーを含むことを特徴とする免震部材とを備えて、
天井と床間で突っ張ることを可能にし、室内への固定が成立する機構であり、
前記免震突っ張り機構装着家具と、
前記屏風式建具を構成する複数枚のパネルのうち、一端又は両端に位置するパネルとが、
前記着脱式紙丁番装置により連結されていることを特徴とする、屏風式携行間仕切り。
【請求項４】
免震突っ張り機構装着家具は、免震突っ張り機構を装着しており、
前記免震突っ張り機構は、免震突っ張り機構上部構造と免震突っ張り機構下部構造とで構成され、
前記免震突っ張り機構装着家具は、前記免震突っ張り機構上部構造と家具材及び前記免震突っ張り機構下部構造とで構成されており、
前記免震突っ張り機構上部構造は、家具材の上面に設けられ、中空構造の外側筒体と、上下方向へのスライドが可能な中空構造の内側筒体と、前記内側筒体の上端部に設けられた免震部材から構成され、
前記免震突っ張り機構下部構造は、前記家具材の下面に設けられた免震部材から構成されており、
前記免震突っ張り機構上部構造は、前記外側筒体の下端部を前記家具材の上面に固定することで、前記家具材の上面に固定され、
前記免震突っ張り機構上部構造は、前記内側筒体の上端部に設けられたボール支承と、前記内側筒体の内端部に設けられ、同内側筒体の上端部に設けたボール支承へ当接する弾性体と、前記弾性体へ突き当たる軸部材と、前記ボール支承のボール材を保持するホルダーとで構成され、
前記免震突っ張り機構下部構造は、ばね付きキャスター、積層ゴム付きキャスター、ばね支承、積層ゴム支承、転がり支承、滑り支承などのいずれかを取り付けて構成されていることを特徴とする、請求項３に記載した屏風式携行間仕切り。
【請求項５】
着脱式紙丁番装置を構成する溝形部材の溝内に、フック部が高さ方向に一定の間隔をあけて設けられ、パネルの縦端部には、前記フック部に対応する位置にフック受け部が設けられており、
前記溝形部材の前記フック部をパネルの前記フック受け部へ掛け留めて、前記着脱式紙丁番装置と前記パネルとが結合されていることを特徴とする、請求項１、３に記載した携行間仕切り。
【請求項６】
着脱式紙丁番装置を構成する溝形部材の溝内に、フック部が高さ方向に一定の間隔をあけて設けられ、免震突っ張り機構装着支柱の側面には、前記フック部に対応する位置にフック受け部が設けられており、
前記溝形部材の前記フック部を前記免震突っ張り機構装着支柱の前記フック受け部へ掛け留めて、前記着脱式紙丁番装置と前記免震突っ張り支柱とが結合されていることを特徴とする、請求項１、２に記載した屏風式携行間仕切り。
【請求項７】
着脱式紙丁番装置を構成する溝形部材の溝内に、フック部が高さ方向に一定の間隔をあけて設けられ、免震突っ張り機構装着家具の家具材の側面には、前記フック部に対応する位置にフック受け部が設けられており、
前記溝形部材の前記フック部を前記免震突っ張り機構装着家具の家具材の前記フック受け部へ掛け留めて、前記着脱式紙丁番装置と前記免震突っ張り機構装着家具とが結合されていることを特徴とする、請求項３、４に記載した屏風式携行間仕切り。
【請求項８】
パネルの下端部には、キャスター付きの下枠材が取り付けられており、
前記下枠材は、上向きコ字形状の溝形部材で構成され、前記溝形部材の溝内に、フック部が水平方向に一定の間隔をあけて設けられ、ウェブの外面にキャスターが取り付けられており、
前記パネルの下端部には、前記フック部に対応する位置にフック受け部が設けられ、前記溝形部材の前記フック部をパネルの前記フック受け部へ掛け留めて前記下枠材が前記パネルへ取り付けられていることを特徴とする、請求項１、３に記載した屏風式携行間仕切り。
【請求項９】
屏風式建具と免震突っ張り機構装着支柱及び免震突っ張り機構装着家具とで構成されることを特徴とする、請求項１〜８に記載した屏風式携行間仕切り。